(57)【要約】  第二の無線通信装置（１２０）は、第一の無線通信装置（１１０）が構成する第一のセル（１０１）へ接続し、第一のセル（１０１）への接続が規制されると、少なくとも一つ以上のセルにおける接続の規制の度合いに対応する制御情報の値に応じて、第一のセル（１０１）とは異なる第二のセル（１０２）の選択または再選択を行う。そして、第二の無線通信装置（１２０）は、第二のセル（１０２）の選択または再選択を行うと、第一のセル（１０１）ではなく第二のセル（１０２）にキャンプオンする。
2016181564.tif 000002
【特許請求の範囲】
【請求項１】
他の無線通信装置が構成する第一のセルへ接続し、前記第一のセルへの接続が規制されると、少なくとも一つ以上のセルにおける接続の規制の度合いに対応する制御情報の値に応じて、前記第一のセルとは異なる第二のセルの選択または再選択を行う制御部を備え、
前記制御部によって前記第二のセルの選択または再選択を行うと、前記第一のセルではなく前記第二のセルにキャンプオンする、
ことを特徴とする無線通信装置。
【請求項２】
前記少なくとも一つ以上のセルは、前記第一のセルとは異なるセルを含むことを特徴とする請求項１に記載の無線通信装置。
【請求項３】
前記少なくとも一つ以上のセルにおける接続の規制の度合いに対応する制御情報は、前記少なくとも一つ以上のセルにおける接続の規制における規制確率を含むことを特徴とする請求項１または２に記載の無線通信装置。
【請求項４】
前記少なくとも一つ以上のセルにおける接続の規制の度合いに対応する制御情報は、前記少なくとも一つ以上のセルにおける接続の規制における接続規制時間を含むことを特徴とする請求項１〜３のいずれか一つに記載の無線通信装置。
【請求項５】
前記少なくとも一つ以上のセルにおける接続の規制の度合いに対応する制御情報は、前記選択または再選択のために前記少なくとも一つ以上のセルについて算出される基準値であって、前記少なくとも一つ以上のセルの無線品質の測定結果に基づく基準値に対するオフセット値を含むことを特徴とする請求項１〜４のいずれか一つに記載の無線通信装置。
【請求項６】
前記少なくとも一つ以上のセルにおける接続の規制の度合いに対応する制御情報は、前記第一のセルによって送信される報知信号に含まれることを特徴とする請求項１〜５のいずれか一つに記載の無線通信装置。
【請求項７】
自装置が構成するセルへの接続を規制する制御部と、
前記自装置が構成するセルとは異なるセルを含む少なくとも一つ以上のセルにおける接続の規制の度合いに対応する制御情報を含む報知信号を送信する送信部と、
を備えることを特徴とする無線通信装置。
【請求項８】
第一のセルを構成する第一の無線通信装置と、
前記第一のセルに接続し、前記第一のセルへの接続が規制されると、少なくとも一つ以上のセルにおける接続の規制の度合いに対応する制御情報の値に応じて、前記第一のセルとは異なる第二のセルの選択または再選択を行い、前記第二のセルの選択または再選択を行うと、前記第一のセルではなく前記第二のセルにキャンプオンする第二の無線通信装置と、
を含むことを特徴とする無線通信システム。
【請求項９】
他の無線通信装置が構成する第一のセルへ接続する無線通信装置による無線通信方法であって、
前記第一のセルへの接続が規制されると、少なくとも一つ以上のセルにおける接続の規制の度合いに対応する制御情報の値に応じて、前記第一のセルとは異なる第二のセルの選択または再選択を行い、
前記第二のセルの選択または再選択を行うと、前記第一のセルではなく前記第二のセルにキャンプオンする、
ことを特徴とする無線通信方法。
【請求項１０】
セルを構成する無線通信装置による無線通信方法であって、
前記無線通信装置が構成するセルとは異なるセルを含む少なくとも一つ以上のセルにおける接続の規制の度合いに対応する制御情報を取得し、
前記無線通信装置が構成するセルへの接続を規制する場合に、取得した前記制御情報を含む報知信号を送信する、
ことを特徴とする無線通信方法。
【発明の詳細な説明】
【技術分野】
【０００１】
本発明は、無線通信装置、無線通信システムおよび無線通信方法に関する。
【背景技術】
【０００２】
従来、３ＧＰＰ（３ｒｄ  Ｇｅｎｅｒａｔｉｏｎ  Ｐａｒｔｎｅｒｓｈｉｐ  Ｐｒｏｊｅｃｔ）において規定されたＬＴＥ（Ｌｏｎｇ  Ｔｅｒｍ  Ｅｖｏｌｕｔｉｏｎ）などの移動体通信が知られている（たとえば、下記非特許文献１〜１５参照。）。また、基地局が形成する各セルに選択確率やプライオリティを設定してセル間の負荷分散を行う技術が知られている（たとえば、下記非特許文献１６，１７参照。）。【０００３】
また、基地局が、移動局がアイドルからアクティブに遷移する場合にアクセスする事前選択セルを選択するための選択確率を報知し、移動局が、選択情報に基づいて事前選択セルを選択して回線設定を行う技術が知られている（たとえば、下記特許文献１参照。）。【０００４】
また、所定の帯域幅を有する複数のセルを運用する基地局において、各セルにおけるトラヒック状況を測定し、測定したトラヒック状況に基づいて、移動局を移行させる移行先セルを決定し、決定した移行先セルをページングチャネルにより移動局に通知する技術が知られている（たとえば、下記特許文献２参照。）。
【先行技術文献】
【特許文献】
【０００５】
【特許文献１】国際公開第２００８／０２３６０９号
【特許文献２】国際公開第２００８／０２３６１１号
【非特許文献】
【０００６】
【非特許文献１】３ＧＰＰ  ＴＳ３６．３００  Ｖ１２．５．０、２０１５年３月
【非特許文献２】３ＧＰＰ  ＴＳ３６．３０４  Ｖ１２．５．０、２０１５年３月
【非特許文献３】３ＧＰＰ  ＴＳ３６．２１１  Ｖ１２．５．０、２０１５年３月
【非特許文献４】３ＧＰＰ  ＴＳ３６．２１２  Ｖ１２．４．０、２０１５年３月
【非特許文献５】３ＧＰＰ  ＴＳ３６．２１３  Ｖ１２．５．０、２０１５年３月
【非特許文献６】３ＧＰＰ  ＴＳ３６．３２１  Ｖ１２．５．０、２０１５年３月
【非特許文献７】３ＧＰＰ  ＴＳ３６．３２２  Ｖ１２．２．０、２０１５年３月
【非特許文献８】３ＧＰＰ  ＴＳ３６．３２３  Ｖ１２．３．０、２０１５年３月
【非特許文献９】３ＧＰＰ  ＴＳ３６．３３１  Ｖ１２．５．０、２０１５年３月
【非特許文献１０】３ＧＰＰ  ＴＳ３６．４１３  Ｖ１２．５．０、２０１５年３月
【非特許文献１１】３ＧＰＰ  ＴＳ３６．４２３  Ｖ１２．５．０、２０１５年３月
【非特許文献１２】３ＧＰＰ  ＴＳ３６．４２５  Ｖ１２．１．０、２０１５年３月
【非特許文献１３】３ＧＰＰ  ＴＲ３６．８４２  Ｖ１２．０．０、２０１３年１２月
【非特許文献１４】３ＧＰＰ  ＲＰ−１５０４９１、２０１５年３月
【非特許文献１５】３ＧＰＰ  ＴＳ２５．３０４  Ｖ１２．５．０、２０１５年３月
【非特許文献１６】３ＧＰＰ  Ｒ２−１４２４９５、２０１４年５月
【非特許文献１７】３ＧＰＰ  Ｒ２−１４２５３０、２０１４年５月
【発明の概要】
【発明が解決しようとする課題】
【０００７】
しかしながら、上述した従来技術では、たとえばセル間の負荷の偏りを解消するために各セルに選択確率やプライオリティを設定することを要するため、システムへ与える影響が大きくなる。このため、システムへの影響を抑えつつセル間の負荷の偏りを解消することができない場合がある。【０００８】
１つの側面では、本発明は、システムへの影響を抑えつつセル間の負荷の偏りを解消することができる無線通信装置、無線通信システムおよび無線通信方法を提供することを目的とする。
【課題を解決するための手段】
【０００９】
上述した課題を解決し、目的を達成するため、本発明の一側面によれば、他の無線通信装置が構成する第一のセルへ接続する無線通信装置において、前記第一のセルへの接続が規制されると、少なくとも一つ以上のセルにおける接続の規制の度合いに対応する制御情報の値に応じて、前記第一のセルとは異なる第二のセルの選択または再選択を行い、前記第二のセルの選択または再選択を行うと、前記第一のセルではなく前記第二のセルにキャンプオンする無線通信装置、無線通信システムおよび無線通信方法が提案される。【００１０】
本願発明の別の一側面によれば、セルを構成する無線通信装置において、前記無線通信装置が構成するセルとは異なるセルを含む少なくとも一つ以上のセルにおける接続の規制の度合いに対応する制御情報を取得し、前記無線通信装置が構成するセルへの接続を規制する場合に、取得した前記制御情報を含む報知信号を送信する無線通信装置、無線通信システムおよび無線通信方法が提案される。
【発明の効果】
【００１１】
本発明の一側面によれば、システムへの影響を抑えつつセル間の負荷の偏りを解消することができるという効果を奏する。
【図面の簡単な説明】
【００１２】
【図１】図１は、実施の形態１にかかる無線通信システムの一例を示す図である。
【図２】図２は、実施の形態２にかかる無線通信システムに適用可能なアクセスクラス規制の一例を示す図である。
【図３】図３は、実施の形態２にかかる無線通信システムにおけるセルリセレクションの一例を示す図である。
【図４】図４は、実施の形態２にかかる端末の一例を示す図である。
【図５】図５は、実施の形態２にかかる端末のハードウェア構成の一例を示す図である。
【図６】図６は、実施の形態２にかかる基地局の一例を示す図である。
【図７】図７は、実施の形態２にかかる基地局のハードウェア構成の一例を示す図である。
【図８】図８は、実施の形態２にかかる端末のアイドルモードにおけるセルセレクションおよびセルリセレクションの一例を示す図（その１）である。
【図９】図９は、実施の形態２にかかる端末のアイドルモードにおけるセルセレクションおよびセルリセレクションの一例を示す図（その２）である。
【図１０】図１０は、実施の形態２にかかる端末のアイドルモードにおけるセルセレクションおよびセルリセレクションの一例を示す図（その３）である。
【図１１】図１１は、実施の形態２にかかる端末による処理の一例を示すフローチャートである。
【図１２】図１２は、実施の形態３にかかる無線通信システムにおけるセルリセレクションの一例を示す図である。
【図１３】図１３は、実施の形態３にかかる端末による処理の他の例を示すフローチャートである。
【発明を実施するための形態】
【００１３】
以下に図面を参照して、本発明にかかる無線通信装置、無線通信システムおよび無線通信方法の実施の形態を詳細に説明する。
【００１４】
（実施の形態１）
図１は、実施の形態１にかかる無線通信システムの一例を示す図である。図１に示すように、実施の形態１にかかる無線通信システム１００は、第一の無線通信装置１１０と、第二の無線通信装置１２０と、を含む。
【００１５】
第一の無線通信装置１１０は、第一のセル１０１を構成する。たとえば、第一の無線通信装置１１０は、第一のセル１０１における端末との間で無線通信が可能な基地局である。第一の無線通信装置１１０は、たとえば第一のセル１０１における負荷状況に応じて、第一のセル１０１への接続の規制を行う。
【００１６】
第一の無線通信装置１１０は、制御部１１１と、送信部１１２と、を備える。制御部１１１は、自装置が形成する第一のセル１０１への接続を規制する制御を行う。たとえば、制御部１１１は、自装置における規制確率および接続規制時間を設定することにより第一のセル１０１への接続を規制する。
【００１７】
規制確率は、たとえば、端末が、自端末が規制対象か否かを判断するために、自端末において算出した乱数値と比較する値である。すなわち、端末は、接続先のセルについて、該セルの規制確率と自端末において算出した乱数値とを比較し、比較結果に基づいて自端末が規制対象か否かを判断する。そして、端末は、自端末が規制対象であると判断した場合は、該セルと自端末との間の通信を制限する。
【００１８】
接続規制時間は、たとえば、端末が、自端末が規制対象であると判断した場合に、該セルと自端末との間の通信を制限する時間を算出するための値である。たとえば、端末は、自端末が規制対象であると判断した場合に、平均値が接続規制時間となる分布の確率を用いて接続規制時間を算出し、算出した接続規制時間だけ該セルと自端末との間の通信を制限する。
【００１９】
送信部１１２は、少なくとも一つ以上のセルにおける接続の規制の度合いに対応する制御情報を取得する。そして、送信部１１２は、取得した制御情報を含む報知信号を無線により送信する。報知信号は、たとえば第一のセル１０１における各端末が受信可能な情報である。
【００２０】
少なくとも一つ以上のセルには、たとえば第一のセル１０１とは異なるセルが含まれる。たとえば、少なくとも一つ以上のセルには、第一のセル１０１と異なる第二のセル１０２が含まれる。第二のセル１０２は、第二の無線通信装置１２０が接続可能なセルである。また、少なくとも一つ以上のセルには、第二の無線通信装置１２０が接続可能でない第三のセル１０３が含まれていてもよい。なお、第二のセル１０２や第三のセル１０３は、第一のセル１０１と同一の基地局によって形成されたセルであってもよい。
【００２１】
接続の規制の度合いに対応する制御情報には、たとえば、接続の規制における規制確率が含まれる。または、接続の規制の度合いに対応する制御情報には、接続の規制における接続規制時間が含まれていてもよい。または、接続の規制の度合いに対応する制御情報には、上述した規制確率および接続規制時間の両方が含まれていてもよい。
【００２２】
または、接続の規制の度合いに対応する制御情報には、セルの選択またはセルの再選択のために各セルについて算出される基準値であって、各セルの無線品質の測定結果に基づく基準値に対するオフセット値が含まれていてもよい。または、接続の規制の度合いに対応する制御情報には、上述した規制確率および接続規制時間の少なくとも一方と、上述したオフセット値と、の両方が含まれていてもよい。
【００２３】
これにより、第一の無線通信装置１１０は、第二の無線通信装置１２０に対して、少なくとも一つ以上のセルにおける接続の規制の度合いに対応する制御情報を通知することができる。また、第一の無線通信装置１１０は、たとえば、少なくとも一つ以上のセルのうちの接続の規制が行われていないセル（たとえば接続の規制度合いがゼロのセル）については、接続の規制度合いを示す制御情報を報知信号に含めなくてもよい。この場合は、第二の無線通信装置１２０は、報知信号に制御情報が含まれていないセルについては、接続の規制が行われていない（たとえば接続の規制度合いがゼロ）と判断する。
【００２４】
第二の無線通信装置１２０は、第一の無線通信装置１１０が構成する第一のセル１０１に接続している。第二の無線通信装置１２０は、たとえば基地局との間で無線通信が可能な端末である。第二の無線通信装置１２０は、制御部１２１を備えている。
【００２５】
制御部１２１は、第一の無線通信装置１１０によって第一のセル１０１への接続が規制されると、少なくとも一つ以上のセルにおける接続の規制の度合いに対応する制御情報の値に応じて、第一のセル１０１と異なる第二のセル１０２の選択または再選択を行う。この制御情報は、たとえば上述した第一の無線通信装置１１０からの報知信号によって得ることができる。
【００２６】
第二のセル１０２の選択は、たとえば接続先のセルを選択するセルセレクションである。第二のセル１０２の再選択は、たとえば接続先のセルを再選択するセルリセレクションである。第二の無線通信装置１２０は、制御部１２１によって第二のセル１０２の選択または再選択を行うと、第一のセル１０１ではなく第二のセル１０２にキャンプオンする。セルへのキャンプオンとは、たとえば、該セルに対するＮＡＳ（Ｎｏｎ  Ａｃｃｅｓｓ  Ｓｔｒａｔｕｍ：非アクセス層）の登録を行い、該セルによるサービスを利用可能な状態となることである。すなわち、第二の無線通信装置１２０は、接続先のセルを第一のセル１０１から第二のセル１０２に切り替える。
【００２７】
このように、実施の形態１にかかる第二の無線通信装置１２０は、接続先の第一のセル１０１への接続が規制されると、少なくとも一つ以上のセルにおける接続の規制の度合いに対応する制御情報の値に応じて第二のセル１０２の選択または再選択を行う。そして、第二の無線通信装置１２０は、第二のセル１０２の選択または再選択を行うと、第一のセル１０１ではなく第二のセル１０２にキャンプオンする。
【００２８】
これにより、接続が規制された第一のセル１０１から他の第二のセル１０２への切り替えが行われ、接続が規制された第一のセル１０１における負荷を減らし、セル間の負荷の偏りを解消することができる。また、接続の規制の度合いに対応する制御情報の値を用いて第二のセル１０２の選択または再選択を行うことで、たとえばセルごとに選択確率やプライオリティを設定しなくてもセル間の負荷の偏りを解消できるため、システムへの影響を抑えることができる。
【００２９】
つぎに、図１に示した実施の形態１にかかる無線通信システム１００の詳細について、実施の形態２，３を用いて説明する。実施の形態２，３は、上述した実施の形態１を具象化した実施例として捉えることができるため、実施の形態１と組み合わせて実施することが可能である。
【００３０】
（実施の形態２）
図２は、実施の形態２にかかる無線通信システムに適用可能なアクセスクラス規制の一例を示す図である。図２に示すように、実施の形態２にかかる無線通信システム２００は、基地局２１０と、端末２０１，２０２と、を含む。本実施の形態は、実施の形態１をより具象化した実施例として捉えることもでき、したがって実施の形態１と組み合わせて実施することが可能である。
【００３１】
基地局２１０には、たとえば３ＧＰＰにおいて規定されたｅＮＢ（ｅｖｏｌｖｅｄ  Ｎｏｄｅ  Ｂ）などの各種の基地局を適用することができる。また、基地局２１０は、範囲の大きいセル（マクロセル）を形成するマクロ基地局であってもよいし、範囲の小さいセル（スモールセル）を形成するスモール基地局であってもよい。
【００３２】
端末２０１，２０２には、たとえば３ＧＰＰにおいて規定されたＵＥ（Ｕｓｅｒ  Ｅｑｕｉｐｍｅｎｔ：ユーザ端末）などの各種の端末を適用することができる。セル２１１は、基地局２１０によって形成されるセルである。端末２０１，２０２は、セル２１１に在圏しており、基地局２１０との間で無線通信が可能である。
【００３３】
基地局２１０は、たとえばセル２１１の負荷状態に応じて、一時的にセル２１１へのアクセスを規制するＡＣＢ（Ａｃｃｅｓｓ  Ｃｌａｓｓ  Ｂａｒｒｉｎｇ：アクセスクラス規制）を行う。ＡＣＢにおいては、たとえば、端末２０１，２０２からのデータ発信または制御信号発信を規制することが可能である。または、ＡＣＢにおいては、端末２０１，２０２からのデータ発信および制御信号発信の両方を同時に規制することも可能である。
【００３４】
基地局２１０は、ＡＣＢを行う場合に、セル２１１の範囲内に送信する報知信号２５０に、規制確率（ａｃ−Ｂａｒｒｉｎｇ  Ｆａｃｔｏｒ）および接続規制時間（ａｃ−Ｂａｒｒｉｎｇ  Ｔｉｍｅ）を格納する。規制確率および接続規制時間は、一例としては報知信号２５０のＳＩＢ（Ｓｙｓｔｅｍ  Ｉｎｆｏｒｍａｔｉｏｎ  Ｂｌｏｃｋ：システム情報ブロック）に格納することができる。規制確率および接続規制時間は、たとえばセル２１１の負荷状態に応じて設定される。たとえば、セル２１１の負荷が大きいほど規制確率が低く設定される。また、たとえば、セル２１１の負荷が大きいほど接続規制時間が長く設定される。
【００３５】
規制確率は、各端末が、自端末が規制対象か否かを判断するための確率である。規制確率は、一例としては０〜９５％の範囲で設定可能である。接続規制時間は、各端末が、自端末が規制対象であると判断した場合にデータ発信や制御信号発信を制限する時間を算出するための値である。接続規制時間は、一例としては４秒、８秒、１６秒、…５１２秒の中から設定可能である。
【００３６】
端末２０１，２０２のそれぞれは、基地局２１０から報知信号２５０によって報知される規制確率および接続規制時間を取得する。そして、端末２０１，２０２のそれぞれは、自端末において乱数値を算出し、算出した乱数値が規制確率以上である場合は規制対象となり、セル２１１へのデータ発信や制御信号発信を制限する。また、端末２０１，２０２のそれぞれは、算出した乱数値が規制確率未満である場合は規制対象とならず、セル２１１へのデータ発信や制御信号発信を制限しない。
【００３７】
図２に示す例では、基地局２１０がセル２１１について報知信号２５０によって報知した規制確率が４０％であったとする。また、端末２０１，２０２が算出した乱数値がそれぞれ３０％および６０％であったとする。この場合は、端末２０１は、算出した乱数値（３０％）が規制確率（４０％）未満であるため、規制対象とならず、セル２１１へのデータ発信や制御信号発信を制限しない（アクセス可）。端末２０２は、算出した乱数値（６０％）が規制確率（４０％）以上であるため、規制対象となり、セル２１１へのデータ発信や制御信号発信を制限する（アクセス不可）。
【００３８】
図３は、実施の形態２にかかる無線通信システムにおけるセルリセレクションの一例を示す図である。図３に示す、実施の形態２にかかる無線通信システム３００は、図２に示した無線通信システム２００に対応する。無線通信システム３００は、マクロセル３１１，３１２と、スモールセル３２１〜３２６と、端末３０１〜３０６と、を含む。
【００３９】
マクロセル３１１，３１２（ＭＣ１，ＭＣ２）およびスモールセル３２１〜３２６（ＳＣ１〜ＳＣ６）のそれぞれは、たとえば図２に示したセル２１１に対応する。端末３０１〜３０６のそれぞれは、たとえば図２に示した端末２０１または端末２０２に対応する。
【００４０】
マクロセル３１１，３１２は、それぞれ周波数がＦ１，Ｆ２の周波数のセルである。マクロセル３１１は、マクロ基地局３１０によって形成される。マクロセル３１２は、マクロ基地局３１０、またはマクロ基地局３１０と異なるマクロ基地局によって形成される。
【００４１】
スモールセル３２１〜３２６は、それぞれ周波数がＦ３，Ｆ３，Ｆ４，Ｆ３，Ｆ４，Ｆ２のセルである。スモールセル３２１〜３２６は、それぞれスモール基地局によって形成される。
【００４２】
図３に示す例では、端末３０１〜３０６がスモールセル３２６に接続しており、スモールセル３２６においてＡＣＢが行われる場合について説明する。この場合に、スモールセル３２６は、スモールセル３２６において送信する報知信号により規制確率リスト３５０を報知する。
【００４３】
規制確率リスト３５０は、スモールセル３２６（自セル）における規制確率に加えて、スモールセル３２６の周辺のセルであるスモールセル３２２，３２３およびマクロセル３１２（他セル）の規制確率を示す情報である。また、規制確率リスト３５０は、スモールセル３２２，３２３，３２６およびマクロセル３１２における接続規制時間をさらに示していてもよい。スモールセル３２６，３２２，３２３（ＳＣ６，ＳＣ２，ＳＣ３）およびマクロセル３１２（ＭＣ２）の規制確率は、図３に示す例ではそれぞれ７０％、１０％、３０％および４０％である。
【００４４】
たとえば、スモールセル３２６を形成する基地局は、スモールセル３２２，３２３およびマクロセル３１２を形成する各基地局から規制確率や接続規制時間を示す情報を収集することにより規制確率リスト３５０を生成することができる。規制確率や接続規制時間を示す情報の収集には、たとえばスモールセル３２６と他の各基地局との間の基地局間インタフェース（たとえばＸ２インタフェース）を用いることができる。
【００４５】
端末３０１〜３０６のそれぞれは、スモールセル３２６において報知される規制確率リスト３５０を取得する。そして、端末３０１〜３０６のそれぞれは、算出した乱数値と、接続中のスモールセル３２６における規制確率（７０％）と、を比較する。図３に示す例では、端末３０１〜３０６のうちの端末３０１，３０３，３０４において、乱数値がスモールセル３２６の規制確率（７０％）以上となり、規制対象になったとする。
【００４６】
この場合に、規制対象となった端末３０１，３０３，３０４のそれぞれは、接続先のセルを再選択するセルリセレクションを行う。この際に、端末３０１，３０３，３０４のそれぞれは、再選択の候補の各セルについての無線品質の測定結果に基づいて、再選択の候補の各セルをランキングすることによりベストセル（Ｂｅｓｔ  Ｃｅｌｌ）を選択する。無線品質の測定結果には、一例としてはＲＳＲＰ（Ｒｅｆｅｒｅｎｃｅ  Ｓｉｇｎａｌ  Ｒｅｃｅｉｖｅｄ  Ｐｏｗｅｒ：基準信号受信電力）が用いられる。たとえば、ベストセルは、無線品質の測定結果や他の情報（たとえばオフセット値）に基づく評価値が最も高いセルである。
【００４７】
さらに、端末３０１，３０３，３０４のそれぞれは、ベストセルの選択において、無線品質の測定結果に加えて、再選択の候補の各セルの規制確率および接続規制時間の少なくともいずれかを用いる。再選択の候補の各セルの規制確率および接続規制時間は、規制確率リスト３５０から取得することができる。
【００４８】
図３に示す例では、端末３０１は、セルリセレクションの結果、スモールセル３２３へ接続先を変更している。また、端末３０３は、セルリセレクションの結果、スモールセル３２２へ接続先を変更している。また、端末３０３は、セルリセレクションの結果、マクロセル３１２へ接続先を変更している。
【００４９】
図１に示した第一の無線通信装置１１０は、たとえばマクロセル３１１，３１２およびスモールセル３２１〜３２６を形成する各基地局によって実現することができる。図１に示した第二の無線通信装置１２０は、たとえば端末３０１〜３０６によって実現することができる。
【００５０】
図４は、実施の形態２にかかる端末の一例を示す図である。図３に示した端末３０１〜３０６は、たとえば図４に示す端末４００により実現することができる。端末４００は、無線通信部４１０と、制御部４２０と、記憶部４３０と、を備える。無線通信部４１０は、無線送信部４１１と、無線受信部４１２と、を備える。これらの各構成は、一方向または双方向に、信号やデータの入出力が可能なように接続されている。
【００５１】
無線送信部４１１は、ユーザデータや制御信号を、アンテナを介して無線通信で送信する。無線送信部４１１が送信する無線信号には、任意のユーザデータや制御情報など（符号化や変調等がなされる）を含めることができる。無線受信部４１２は、ユーザデータや制御信号を、アンテナを介して無線通信で受信する。無線受信部４１２が受信する無線信号には、任意のユーザデータや制御信号など（符号化や変調等がなされる）を含めることができる。なお、アンテナは送信と受信で共通でもよい。
【００５２】
制御部４２０は、他の無線局へ送信するユーザデータや制御信号を無線送信部４１１に出力する。また、制御部４２０は、無線受信部４１２によって受信されたユーザデータや制御信号を取得する。制御部４２０は、後述する記憶部４３０との間でユーザデータ、制御情報、プログラムなどの入出力を行う。また、制御部４２０は、無線通信部４１０との間で、他の通信装置などとの間で送受信するユーザデータや制御信号の入出力を行う。制御部４２０は、これら以外にも、端末４００における種々の制御を行う。記憶部４３０は、ユーザデータ、制御情報、プログラムなどの各種情報の記憶を行う。
【００５３】
図１に示した第二の無線通信装置１２０の制御部１２１は、たとえば制御部４２０により実現することができる。
【００５４】
図５は、実施の形態２にかかる端末のハードウェア構成の一例を示す図である。図４に示した端末４００は、たとえば図５に示す端末５００により実現することができる。端末５００は、たとえば、アンテナ５１１と、ＲＦ回路５１２と、プロセッサ５１３と、メモリ５１４と、を備える。これら各構成要素は、たとえばバスを介して各種信号やデータの入出力が可能なように接続されている。
【００５５】
アンテナ５１１は、無線信号を送信する送信アンテナと、無線信号を受信する受信アンテナと、を含む。また、アンテナ５１１は、無線信号を送受信する共用アンテナであってもよい。ＲＦ回路５１２は、アンテナ５１１によって受信された信号や、アンテナ５１１によって送信される信号のＲＦ（Ｒａｄｉｏ  Ｆｒｅｑｕｅｎｃｙ：高周波）処理を行う。ＲＦ処理には、たとえばベースバンド帯とＲＦ帯との周波数変換が含まれる。
【００５６】
プロセッサ５１３は、たとえばＣＰＵ（Ｃｅｎｔｒａｌ  Ｐｒｏｃｅｓｓｉｎｇ  Ｕｎｉｔ：中央処理装置）やＤＳＰ（Ｄｉｇｉｔａｌ  Ｓｉｇｎａｌ  Ｐｒｏｃｅｓｓｏｒ）などである。また、プロセッサ５１３は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、ＬＳＩ（Ｌａｒｇｅ  Ｓｃａｌｅ  Ｉｎｔｅｇｒａｔｉｏｎ：大規模集積回路）などのデジタル電子回路により実現してもよい。
【００５７】
メモリ５１４は、たとえばＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）などのＲＡＭ（Ｒａｎｄｏｍ  Ａｃｃｅｓｓ  Ｍｅｍｏｒｙ：ランダムアクセスメモリ）、ＲＯＭ（Ｒｅａｄ  Ｏｎｌｙ  Ｍｅｍｏｒｙ）、フラッシュメモリにより実現することができる。メモリ５１４は、たとえばユーザデータ、制御情報、プログラムなどを格納する。
【００５８】
図４に示した無線通信部４１０は、たとえばアンテナ５１１およびＲＦ回路５１２により実現することができる。図４に示した制御部４２０は、たとえばプロセッサ５１３により実現することができる。図４に示した記憶部４３０は、たとえばメモリ５１４により実現することができる。
【００５９】
図６は、実施の形態２にかかる基地局の一例を示す図である。図３に示したマクロセル３１１，３１２およびスモールセル３２１〜３２６を形成する基地局のそれぞれは、たとえば図６に示す基地局６００により実現することができる。図６に示すように、基地局６００は、たとえば、無線通信部６１０と、制御部６２０と、記憶部６３０と、通信部６４０と、を備える。無線通信部６１０は、無線送信部６１１と、無線受信部６１２と、を備える。これらの各構成は、一方向または双方向に、信号やデータの入出力が可能なように接続されている。
【００６０】
無線送信部６１１は、ユーザデータや制御信号を、アンテナを介して無線通信で送信する。無線送信部６１１が送信する無線信号には、任意のユーザデータや制御情報など（符号化や変調等がなされる）を含めることができる。無線受信部６１２は、ユーザデータや制御信号を、アンテナを介して無線通信で受信する。無線受信部６１２が受信する無線信号には、任意のユーザデータや制御信号など（符号化や変調等がなされる）を含めることができる。なお、アンテナは送信と受信で共通でもよい。
【００６１】
制御部６２０は、他の無線局へ送信するユーザデータや制御信号を無線送信部６１１に出力する。また、制御部６２０は、無線受信部６１２によって受信されたユーザデータや制御信号を取得する。制御部６２０は、後述する記憶部６３０との間でユーザデータ、制御情報、プログラムなどの入出力を行う。また、制御部６２０は、後述する通信部６４０との間で、他の通信装置などとの間で送受信するユーザデータや制御信号の入出力を行う。制御部６２０は、これら以外にも、基地局６００における種々の制御を行う。
【００６２】
記憶部６３０は、ユーザデータ、制御情報、プログラムなどの各種情報の記憶を行う。通信部６４０は、たとえば有線信号によって、他の通信装置との間でユーザデータや制御信号を送受信する。上述した規制確率や接続規制時間を示す情報の収集に用いられる基地局間インタフェースは、たとえば通信部６４０により実現することができる。
【００６３】
図１に示した第一の無線通信装置１１０の制御部１１１は、たとえば制御部６２０により実現することができる。図１に示した第一の無線通信装置１１０の送信部１１２は、たとえば無線送信部６１１および制御部６２０により実現することができる。
【００６４】
図７は、実施の形態２にかかる基地局のハードウェア構成の一例を示す図である。図６に示した基地局６００は、たとえば図７に示す基地局７００により実現することができる。基地局７００は、アンテナ７１１と、ＲＦ回路７１２と、プロセッサ７１３と、メモリ７１４と、ネットワークＩＦ７１５と、を備える。これら各構成要素は、たとえばバスを介して各種信号やデータの入出力が可能なように接続されている。
【００６５】
アンテナ７１１は、無線信号を送信する送信アンテナと、無線信号を受信する受信アンテナと、を含む。また、アンテナ７１１は、無線信号を送受信する共用アンテナであってもよい。ＲＦ回路７１２は、アンテナ７１１によって受信された信号や、アンテナ７１１によって送信される信号のＲＦ処理を行う。ＲＦ処理には、たとえばベースバンド帯とＲＦ帯との周波数変換が含まれる。
【００６６】
プロセッサ７１３は、たとえばＣＰＵやＤＳＰなどである。また、プロセッサ７１３は、ＡＳＩＣ、ＦＰＧＡ、ＬＳＩなどのデジタル電子回路により実現してもよい。
【００６７】
メモリ７１４は、たとえばＳＤＲＡＭなどのＲＡＭ、ＲＯＭ、フラッシュメモリにより実現することができる。メモリ７１４は、たとえばユーザデータ、制御情報、プログラムなどを格納する。
【００６８】
ネットワークＩＦ７１５は、たとえば有線によってネットワークとの間で通信を行う通信インタフェースである。ネットワークＩＦ７１５は、たとえば基地局間で有線通信を行うためのＸｎインタフェースを含んでもよい。
【００６９】
図６に示した無線通信部６１０は、たとえばアンテナ７１１およびＲＦ回路７１２により実現することができる。図６に示した制御部６２０は、たとえばプロセッサ７１３により実現することができる。図６に示した記憶部６３０は、たとえばメモリ７１４により実現することができる。図６に示した通信部６４０は、たとえばネットワークＩＦ７１５により実現することができる。
【００７０】
図８〜図１０は、実施の形態２にかかる端末のアイドルモードにおけるセルセレクションおよびセルリセレクションの一例を示す図である。図８〜図１０に示す状態遷移／プロシージャ８００は、実施の形態２にかかる端末４００のアイドルモードにおけるセルセレクションおよびセルリセレクションの状態遷移およびプロシージャを示している。
【００７１】
状態遷移／プロシージャ８００には、たとえば３ＧＰＰのＴＳ２５．３０４に規定されたアイドルモードにおけるセルセレクションおよびセルリセレクションの状態遷移およびプロシージャを適用することができる。端末４００は、新しいＰＬＭＮ（Ｐｕｂｌｉｃ  Ｌａｎｄ  Ｍｏｂｉｌｅ  Ｎｅｔｗｏｒｋ：公衆陸上移動体ネットワーク）を選択した場合に状態８０１へ移行する。
【００７２】
たとえば、端末４００は、選択したＰＬＭＮについて保存したセル情報がない場合は、状態８０１から図８の太線矢印のように状態遷移して初期セルセレクション８０２を行う。そして、端末４００は、初期セルセレクション８０２によって適切なセル（ｓｕｉｔａｂｌｅ  ｃｅｌｌ）を発見した場合は、発見した適切なセルへ接続して正常キャンプ８０３（Ｃａｍｐｅｄ  Ｎｏｒｍａｌｌｙ）の状態となる。正常キャンプ８０３は、端末４００が発見した適切なセルへ接続（キャンプオン）した状態である。
【００７３】
また、端末４００は、選択したＰＬＭＮについて保存したセル情報がある場合は、状態８０１から図９の太線矢印のように状態遷移し、保存したセル情報に基づいてセルを選択する保存情報セルセレクション９０１（Ｓｔｏｒｅｄ  ｉｎｆｏｒｍａｔｉｏｎ  Ｃｅｌｌ  Ｓｅｌｅｃｔｉｏｎ）を行う。そして、端末４００は、保存情報セルセレクション９０１によって適切なセルを発見した場合は、発見した適切なセルへ接続して正常キャンプ８０３の状態となる。
【００７４】
また、端末４００は、正常キャンプ８０３において、セルリセレクションのトリガが発生すると、図１０の太線矢印のように状態遷移し、セルリセレクション評価プロセス１００１（Ｃｅｌｌ  Ｒｅｓｅｌｅｃｔｉｏｎ  Ｅｖａｌｕａｔｉｏｎ  Ｐｒｏｃｅｓｓ）を行う。そして、端末４００は、セルリセレクション評価プロセス１００１によって適切なセルを発見した場合は、発見した適切なセルへ接続して正常キャンプ８０３へ戻る。セルリセレクションのトリガは、一例としては周期的に発生する周期である。
【００７５】
図１１は、実施の形態２にかかる端末による処理の一例を示すフローチャートである。実施の形態２にかかる端末４００は、たとえば図１１に示す各ステップを実行する。まず、端末４００は、自端末がキャンプオンしているセルからの報知信号を受信する（ステップＳ１１０１）。つぎに、端末４００は、自端末がキャンプオンしているセルにおいてＡＣＢが実施されているか否かを判断する（ステップＳ１１０２）。ステップＳ１１０２の判断は、たとえばステップＳ１１０１によって受信した報知信号に含まれる情報に基づいて行うことができる。
【００７６】
ステップＳ１１０２において、ＡＣＢが実施されていない場合（ステップＳ１１０２：Ｎｏ）は、端末４００は、一連の処理を終了する。ＡＣＢが実施されている場合（ステップＳ１１０２：Ｙｅｓ）は、端末４００は、ステップＳ１１０１によって受信した報知信号に含まれる規制確率リストを取得する（ステップＳ１１０３）。規制確率リストは、たとえば、端末４００がキャンプオンしているセルにおける規制確率と、端末４００がキャンプオンしているセルの周辺のセルにおける規制確率と、を示す情報である。
【００７７】
つぎに、端末４００は、自端末が算出した乱数値が、自端末がキャンプオンしているセルにおける規制確率未満か否かを判断する（ステップＳ１１０４）。自端末がキャンプオンしているセルにおける規制確率は、たとえば、ステップＳ１１０３によって取得した規制確率リストから取得することができる。
【００７８】
ステップＳ１１０４において、乱数値が規制確率以上である場合（ステップＳ１１０４：Ｎｏ）は、端末４００は、自端末が規制対象でないと判断し、一連の処理を終了する。乱数値が規制確率未満である場合（ステップＳ１１０４：Ｙｅｓ）は、端末４００は、自端末が規制対象であると判断する。この場合は、端末４００は、自端末が算出した乱数値が規制確率未満となるセルの中からベストセルを選択し、選択したベストセルにキャンプオンし（ステップＳ１１０５）、一連の処理を終了する。
【００７９】
ステップＳ１１０５において、端末４００は、たとえば、報知信号に含まれる規制確率リストが示す各セルをセルリセレクション先の候補のセルとし、セルリセレクション先の候補のセルのそれぞれについて報知信号が示す規制確率を取得する。セルリセレクション先の候補には、端末４００がキャンプオンしているセルを含めてもよいし、端末４００がキャンプオンしているセルを含めなくてもよい。
【００８０】
端末４００は、セルリセレクション先の候補のセルのそれぞれについて、自端末が算出した乱数値と報知信号が示す規制確率を比較する。ステップＳ１１０５において用いる乱数値は、セルリセレクション先の候補のセルのそれぞれについて算出した乱数値であってもよいし、セルリセレクション先の候補のセルについて算出した共通の乱数値であってもよい。また、ステップＳ１１０５において用いる乱数値は、ステップＳ１１０４において用いた乱数値と同じ乱数値であってもよい。
【００８１】
端末４００は、セルリセレクション先の候補のセルのうちの乱数値が規制確率未満のセルの中からベストセルを選択し、選択したベストセルへキャンプオンする。たとえば、端末４００は、乱数値が規制確率未満のセルのうちの、端末４００における無線品質（たとえばＲＳＲＰ）が最も高いセルをベストセルとして選択する。これにより、規制確率が高い、すなわち規制度合が低いセルへ端末４００が接続先を変更する確率を高くし、セル間の負荷を分散させることができる。
【００８２】
ただし、ベストセルの選択方法はこれに限らず各種の方法を採用することができる。たとえば、端末４００は、乱数値が規制確率未満のセルのうちの、規制確率が最も高い（規制度合が最も低い）セルをベストセルとして選択してもよい。または、端末４００は、乱数値が規制確率未満のセルを、端末４００における無線品質および規制確率に基づいてランキングし、ランキングの結果に基づいてベストセルを選択してもよい。この場合は、端末４００における無線品質が高いセルほどベストセルに選択されやすくする。また、規制確率が高い（規制の度合いが低い）セルほどベストセルに選択されやすくする。
【００８３】
たとえば、端末４００は、乱数値が規制確率未満のセルのそれぞれについて下記（１）式によって基準値を算出し、算出した基準値が最も高いセルをベストセルとして選択する。下記（１）式におけるＡ，Ｂは０より大きい係数である。
【００８４】
基準値＝Ａ×無線品質＋Ｂ×規制確率  …（１）
【００８５】
また、ベストセルの選択において、規制確率に代えて接続規制時間を用いてもよい。この場合は、接続規制時間が短い（規制の度合いが低い）セルほどベストセルに選択されやすくする。たとえば、端末４００は、乱数値が規制確率未満のセルのそれぞれについて下記（２）式によって基準値を算出し、算出した基準値が最も高いセルをベストセルとして選択する。下記（２）式におけるＣは０より大きい係数である。
【００８６】
基準値＝Ａ×無線品質−Ｃ×接続規制時間  …（２）
【００８７】
また、ベストセルの選択において、規制確率および接続規制時間の両方を用いてもよい。たとえば、端末４００は、乱数値が規制確率未満のセルのそれぞれについて下記（３）式により基準値を算出し、算出した基準値が最も高いセルをベストセルとして選択する。
【００８８】
基準値＝Ａ×無線品質＋Ｂ×規制確率−Ｃ×接続規制時間  …（３）
【００８９】
また、乱数値が規制確率未満のセルの中からベストセルを選択する場合について説明したが、規制確率リストが示す各セルの中から、ＡＣＢによる規制の度合いに基づいてベストセルを選択してもよい。たとえば、端末４００は、規制確率リストが示す各セルについて上記（１）〜（３）式のいずれかによって基準値を算出し、算出した基準値が最も高いセルをベストセルとして選択する。
【００９０】
図１１を用いて説明したように、端末４００は、自端末が規制対象になった場合に、規制確率リストが示す各セルの規制の度合いを用いてセルリセレクションを行うことができる。これにより、規制の度合いが低い、すなわち負荷の小さいセルへ端末４００が接続先を変更する確率を高くし、セル間の負荷を分散させることができる。
【００９１】
このように、実施の形態２によれば、端末４００が、接続先のセルへの接続が規制されると、少なくとも一つ以上のセルにおけるＡＣＢの規制確率や接続規制時間の値に応じてセルリセレクション（再選択）を行う。そして、端末４００は、セルリセレクションによって選択したベストセルにキャンプオンする。
【００９２】
これにより、接続が規制されたセルから他のセルへの切り替えが行われ、接続が規制されたセルにおける負荷を減らし、セル間の負荷の偏りを解消することができる。また、ＡＣＢの規制確率や接続規制時間の値を用いてセルリセレクションを行うことで、たとえばセルごとに選択確率やプライオリティを設定しなくてもセル間の負荷の偏りを解消できるため、システムへの影響を抑えることができる。
【００９３】
たとえば、システム設計において、セルごとのパラメータとして選択確率やプライオリティを追加したり、セルごとの選択確率やプライオリティを算出する処理を追加したりしなくても、セル間の負荷の偏りを解消することが可能になる。
【００９４】
端末４００がセルリセレクション（再選択）を行う場合について説明したが、本実施の形態は端末４００がセルセレクション（選択）を行う場合についても適用可能である。これにより、接続が規制されたセルとは異なるセルへの接続が行われる可能性を高くすることができる。このため、接続が規制されたセルにおける負荷を減らし、セル間の負荷の偏りを解消することができる。
【００９５】
（実施の形態３）
実施の形態３について、実施の形態２と異なる部分について説明する。本実施の形態は、実施の形態１をより具象化した実施例として捉えることもでき、したがって実施の形態１と組み合わせて実施することが可能である。また、後述のように実施の形態２と組み合わせることも可能である。
【００９６】
図１２は、実施の形態３にかかる無線通信システムにおけるセルリセレクションの一例を示す図である。図１２において、図３に示した部分と同様の部分については同一の符号を付して説明を省略する。スモールセル３２６，３２２，３２３（ＳＣ６，ＳＣ２，ＳＣ３）およびマクロセル３１２（ＭＣ２）のそれぞれは、セルリセレクションにおいて自セルの基準値を算出するためのＱｏｆｆｓｅｔ＿ｔｅｍｐを設定している。
【００９７】
Ｑｏｆｆｓｅｔ＿ｔｅｍｐは、セルの負荷状態に応じて設定される。Ｑｏｆｆｓｅｔ＿ｔｅｍｐの設定には、たとえば３ＧＰＰのＴＳ３６．３３１に規定された技術を適用することができる。たとえば、Ｑｏｆｆｓｅｔ＿ｔｅｍｐは、セルの負荷が大きいほど大きく設定される。このＱｏｆｆｓｅｔ＿ｔｅｍｐは、接続の規制の度合いに対応する制御情報である。たとえば、Ｑｏｆｆｓｅｔ＿ｔｅｍｐが大きく設定されたセルは、セルリセレクションのために算出される基準値が低くなり、ベストセルとして選択されにくくなる。
【００９８】
スモールセル３２６は、スモールセル３２６において送信する報知信号によりオフセットリスト１２１０を報知する。オフセットリスト１２１０は、スモールセル３２６におけるＱｏｆｆｓｅｔ＿ｔｅｍｐと、スモールセル３２６の周辺のセルであるスモールセル３２２，３２３およびマクロセル３１２におけるＱｏｆｆｓｅｔ＿ｔｅｍｐと、を示す情報である。スモールセル３２６，３２２，３２３（ＳＣ６，ＳＣ２，ＳＣ３）およびマクロセル３１２（ＭＣ２）のＱｏｆｆｓｅｔ＿ｔｅｍｐは、図１２に示す例では、スモールセル３２６，３２２，３２３およびマクロセル３１２の規制確率がそれぞれ７０％、１０％、３０％および４０％となるように設定される。
【００９９】
たとえば、スモールセル３２６を形成する基地局は、スモールセル３２２，３２３およびマクロセル３１２を形成する各基地局からＱｏｆｆｓｅｔ＿ｔｅｍｐを示す情報を収集することによりオフセットリスト１２１０を生成することができる。Ｑｏｆｆｓｅｔ＿ｔｅｍｐを示す情報の収集には、たとえばスモールセル３２６と他の各基地局との間の基地局間インタフェース（たとえばＸ２インタフェース）を用いることができる。
【０１００】
端末３０１〜３０６のそれぞれは、算出した乱数値と、接続中のスモールセル３２６における規制確率と、を比較する。図１２に示す例では、端末３０１〜３０６のうちの端末３０１，３０３，３０４において、乱数値がスモールセル３２６の規制確率以上となり、規制対象になったとする。
【０１０１】
この場合に、規制対象となった端末３０１，３０３，３０４のそれぞれは、接続先のセルを再選択するセルリセレクションを行う。この際に、端末３０１，３０３，３０４のそれぞれは、再選択の候補の各セルについての無線品質（たとえばＲＳＲＰ）の測定結果に基づいて、再選択の候補の各セルをランキングすることによりベストセルを選択する。
【０１０２】
さらに、端末３０１，３０３，３０４のそれぞれは、ベストセルの選択において、無線品質の測定結果に加えて、再選択の候補の各セルについて、オフセットリスト１２１０が示すＱｏｆｆｓｅｔ＿ｔｅｍｐを用いる。
【０１０３】
図１２に示す例では、端末３０１は、セルリセレクションの結果、スモールセル３２３へ接続先を変更している。また、端末３０３は、セルリセレクションの結果、スモールセル３２２へ接続先を変更している。また、端末３０４は、セルリセレクションの結果、マクロセル３１２へ接続先を変更している。
【０１０４】
図１３は、実施の形態３にかかる端末による処理の他の例を示すフローチャートである。実施の形態３にかかる端末４００は、たとえば図１３に示す各ステップを実行する。まず、端末４００は、自端末がキャンプオンしているセルからの報知信号を受信する（ステップＳ１３０１）。つぎに、端末４００は、自端末がキャンプオンしているセルにおいてＡＣＢが実施されているか否かを判断する（ステップＳ１３０２）。ステップＳ１３０２の判断は、たとえばステップＳ１３０１によって受信した報知信号に含まれる情報に基づいて行うことができる。
【０１０５】
ステップＳ１３０２において、ＡＣＢが実施されていない場合（ステップＳ１３０２：Ｎｏ）は、端末４００は、一連の処理を終了する。ＡＣＢが実施されている場合（ステップＳ１３０２：Ｙｅｓ）は、端末４００は、ステップＳ１３０１によって受信した報知信号に含まれるオフセットリストを取得する（ステップＳ１３０３）。オフセットリストは、たとえば、端末４００がキャンプオンしているセルにおけるＱｏｆｆｓｅｔ＿ｔｅｍｐと、端末４００がキャンプオンしているセルの周辺のセルにおけるＱｏｆｆｓｅｔ＿ｔｅｍｐと、を示す情報である。
【０１０６】
つぎに、端末４００は、自端末が算出した乱数値が、自端末がキャンプオンしているセルにおける規制確率未満か否かを判断する（ステップＳ１３０４）。自端末がキャンプオンしているセルにおける規制確率は、たとえば、ステップＳ１３０１により受信した報知信号から取得することができる。乱数値が規制確率以上である場合（ステップＳ１３０４：Ｎｏ）は、端末４００は、自端末が規制対象でないと判断し、一連の処理を終了する。
【０１０７】
ステップＳ１３０４において、乱数値が規制確率未満である場合（ステップＳ１３０４：Ｙｅｓ）は、端末４００は、自端末が規制対象であると判断する。この場合は、端末４００は、セルリセレクションの候補の各セルについて、該セルの無線品質の測定結果にＱｏｆｆｓｅｔ＿ｔｅｍｐをかけた基準値を算出する（ステップＳ１３０５）。
【０１０８】
つぎに、端末４００は、ステップＳ１３０５によって算出した基準値に基づいてベストセルを選択し、選択したベストセルにキャンプオンし（ステップＳ１３０６）、一連の処理を終了する。
【０１０９】
たとえば、端末４００は、セルリセレクションにおいて、下記（４）式に示すＲ（ｓ）およびＲ（ｎ）をセル選択基準値として算出する。Ｒ（ｓ）は、端末４００がキャンプオンしているセル（サービングセル）についてのセル選択基準値である。Ｒ（ｎ）は、端末４００の周辺のセルであってサービングセルと異なるセル（ネイバーセル）についてのセル選択基準値である。
【０１１０】
Ｒ（ｓ）＝Ｑ（ｍｅａｓ’ｓ）＋Ｑ（Ｈｙｓｔ）−Ｑｏｆｆｓｅｔ＿ｔｅｍｐ
Ｒ（ｎ）＝Ｑ（ｍｅａｓ’ｓ）＋Ｑｏｆｆｓｅｔ−Ｑｏｆｆｓｅｔ＿ｔｅｍｐ
…（４）
【０１１１】
Ｑ（ｍｅａｓ’ｓ）は、端末４００において測定されたＲＳＲＰである。Ｑ（Ｈｙｓｔ）は、セル内の報知信号によって報知されるヒステリシス値である。Ｑｏｆｆｓｅｔはセル間におけるオフセット値である。Ｑｏｆｆｓｅｔ＿ｔｅｍｐは、セルに対して一時的に適用されるオフセット値である。一例としては、Ｑｏｆｆｓｅｔ＿ｔｅｍｐは０〜１５［ｄＢ］の範囲で設定可能である。
【０１１２】
端末４００は、サービングセルについては上記（４）式のＲ（ｓ）をセル選択基準値として算出し、ネイバーセルについては上記（４）式のＲ（ｎ）をセル選択基準値として算出する。この際に、端末４００は、サービングセルから報知されたオフセットリストを用いて、サービングセルのＲ（ｓ）におけるＱｏｆｆｓｅｔ＿ｔｅｍｐに加えて、ネイバーセルのＲ（ｎ）におけるＱｏｆｆｓｅｔ＿ｔｅｍｐも設定する。そして、端末４００は、算出したセル選択基準値が最も高いセルをベストセルとして選択する。
【０１１３】
セルリセレクションにおいては、サービングセルより高いプライオリティが設定された、サービングセルと異なる周波数のセルを選択する場合や、異なるＲＡＴ（Ｒａｄｉｏ  Ａｃｃｅｓｓ  Ｔｅｃｈｎｏｌｏｇｙ：無線アクセステクノロジ）のセルを選択する場合がある。また、セルリセレクションにおいては、同じプライオリティが設定された、サービングセルと異なる周波数のセルを選択する場合や、サービングセルと同じ周波数の、サービングセルと異なる基地局によって形成されたセルを選択する場合などがある。
【０１１４】
図１２を用いて説明したように、端末４００は、自端末が規制対象になった場合にセルリセレクションを行う。そして、端末４００は、セルリセレクションのために各セルについて算出する基準値に対して、オフセットリストに基づいて各セルに設定されたオフセットをかける。これにより、規制の度合いが低い、すなわち負荷の小さいセルへ端末４００が接続先を変更する確率を高くし、セル間の負荷を分散させることができる。
【０１１５】
このように、実施の形態３によれば、端末４００が、接続先のセルへの接続が規制されると、少なくとも一つ以上のセルにおけるＱｏｆｆｓｅｔ＿ｔｅｍｐに応じてセルリセレクション（再選択）を行う。そして、端末４００は、セルリセレクションによって選択したベストセルにキャンプオンする。
【０１１６】
これにより、接続が規制されたセルから他のセルへの切り替えが行われ、接続が規制されたセルにおける負荷を減らし、セル間の負荷の偏りを解消することができる。また、Ｑｏｆｆｓｅｔ＿ｔｅｍｐを用いてセルリセレクションを行うことで、たとえばセルごとに選択確率やプライオリティを設定しなくてもセル間の負荷の偏りを解消できるため、システムへの影響を抑えることができる。
【０１１７】
たとえば、システム設計において、セルごとのパラメータとして選択確率やプライオリティを追加したり、セルごとの選択確率やプライオリティを算出する処理を追加したりしなくても、セル間の負荷の偏りを解消することが可能になる。
【０１１８】
端末４００がセルリセレクション（再選択）を行う場合について説明したが、本実施の形態は端末４００がセルセレクション（選択）を行う場合についても適用可能である。たとえば、端末４００は、下記（５）式を満たすセルを接続先のセル（Ｓｕｉｔａｂｌｅ  ＣｅｌｌまたはＡｃｃｅｐｔａｂｌｅ  Ｃｅｌｌ）として選択する。
【０１１９】
Ｓｒｘｌｅｖ＞０  ＡＮＤ  Ｓｑｕａｌ＞０    ｗｈｅｒｅ：
Ｓｒｘｌｅｖ＝Ｑ（ｒｘｌｅｖｍｅａｓ）
−（Ｑ（ｒｘｌｅｖｍｉｎ）＋Ｑ（ｒｘｌｅｖｍｉｎｏｆｆｓｅｔ））
−Ｐｃｏｍｐｅｎｓａｔｉｏｎ−Ｑｏｆｆｓｅｔ＿ｔｅｍｐ
Ｓｑｕａｌ  ＝Ｑ（ｑｕａｌｍｅａｓ）
−（Ｑ（ｑｕａｌｍｉｎ）＋Ｑ（ｑｕａｌｍｉｎｏｆｆｓｅｔ））
−Ｑｏｆｆｓｅｔ＿ｔｅｍｐ
…（５）
【０１２０】
上記（５）式において、Ｑ（ｒｘｌｅｖｍｅａｓ）は、受信レベルの測定結果（たとえばＲＳＲＰ）である。Ｑ（ｒｘｌｅｖｍｉｎ）は、セル内において要する最小の受信レベル［ｄＢｍ］である。Ｑ（ｒｘｌｅｖｍｉｎｏｆｆｓｅｔ）は、Ｑ（ｒｘｌｅｖｍｉｎ）に関するオフセットである。Ｐｃｏｍｐｅｎｓａｔｉｏｎは、端末の上り送信電力能力に関する補正値である。Ｑｏｆｆｓｅｔ＿ｔｅｍｐは、セルに対して一時的に適用されるオフセット値である。一例としては、Ｑｏｆｆｓｅｔ＿ｔｅｍｐは０〜１５［ｄＢ］の範囲で設定可能である。
【０１２１】
Ｑ（ｑｕａｌｍｅａｓ）は、たとえばＲＳＲＱ（Ｒｅｆｅｒｅｎｃｅ  Ｓｉｇｎａｌ  Ｒｅｃｅｉｖｅｄ  Ｑｕａｌｉｔｙ：基準信号受信品質）などの受信品質の測定結果である。Ｑ（ｑｕａｌｍｉｎ）は、セル内において要する最小の受信品質［ｄＢ］である。Ｑ（ｑｕａｌｍｉｎｏｆｆｓｅｔ）は、Ｑ（ｑｕａｌｍｉｎ）に関するオフセットである。
【０１２２】
端末４００は、セルセレクションを行う際に、報知されたオフセットリストを用いて、接続先の候補の各セルについて、上記（５）式のＱｏｆｆｓｅｔ＿ｔｅｍｐを設定する。これにより、接続が規制されたセルとは異なるセルへの接続が行われる可能性を高くすることができる。このため、接続が規制されたセルにおける負荷を減らし、セル間の負荷の偏りを解消することができる。
【０１２３】
以上説明したように、無線通信装置、無線通信システムおよび無線通信方法によれば、システムへの影響を抑えつつセル間の負荷の偏りを解消することができる。
【０１２４】
また、端末が接続先のセルにおける規制対象となった場合にセルリセレクションを行うことで、たとえば端末が該接続先のセルにおいて接続規制時間に基づく時間だけ待機する場合と比べて、端末の通信再開までの時間を短くすることができる。
【０１２５】
また、セルリセレクションを行う際に、セルリセレクションの候補の各セルにおける規制の度合いに対応する制御情報を用いることで、負荷の小さいセルを新たな接続先として選択することが可能になる。また、たとえばセル間の負荷の偏りが生じた場合に、該偏りが解消するまでの時間を短くすることができる。
【０１２６】
なお、上述した各実施の形態は、組み合わせて実施することも可能である。たとえば、各基地局は、規制確率リスト３５０（たとえば図３参照）およびオフセットリスト１２１０（たとえば図１２参照）の両方を報知してもよい。この場合に、各端末は、規制確率リスト３５０およびオフセットリスト１２１０の少なくともいずれかを用いてセルセレクション等を行う。たとえば、実施の形態２に関する図１１に示したステップＳ１１０５において、自セルが再度ベストセルとして選択（再選択）された場合は、実施の形態３によるベストセルの選択へ移行するようにしてもよい。
【符号の説明】
【０１２７】
１００，２００，３００  無線通信システム
１０１  第一のセル
１０２  第二のセル
１０３  第三のセル
１１０  第一の無線通信装置
１１１，１２１，４２０，６２０  制御部
１１２  送信部
１２０  第二の無線通信装置
２０１，２０２，３０１〜３０６，４００，５００  端末
２１０，６００，７００  基地局
２１１  セル
２５０  報知信号
３１０  マクロ基地局
３１１，３１２  マクロセル
３２１〜３２６  スモールセル
３５０  規制確率リスト
４１０，６１０  無線通信部
４１１，６１１  無線送信部
４１２，６１２  無線受信部
４３０，６３０  記憶部
５１１，７１１  アンテナ
５１２，７１２  ＲＦ回路
５１３，７１３  プロセッサ
５１４，７１４  メモリ
６４０  通信部
７１５  ネットワークＩＦ
８００  状態遷移／プロシージャ
８０１  状態
８０２  初期セルセレクション
８０３  正常キャンプ
９０１  保存情報セルセレクション
１００１  セルリセレクション評価プロセス
１２１０  オフセットリスト
【図１】
2016181564.tif 000003
【図２】
2016181564.tif 000004
【図３】
2016181564.tif 000005
【図４】
2016181564.tif 000006
【図５】
2016181564.tif 000007
【図６】
2016181564.tif 000008
【図７】
2016181564.tif 000009
【図８】
2016181564.tif 000010
【図９】
2016181564.tif 000011
【図１０】
2016181564.tif 000012
【図１１】
2016181564.tif 000013
【図１２】
2016181564.tif 000014
【図１３】
2016181564.tif 000015
【手続補正書】
【提出日】平成29年11月8日(2017.11.8)
【手続補正１】
【補正対象書類名】特許請求の範囲
【補正対象項目名】全文
【補正方法】変更
【補正の内容】
【特許請求の範囲】
【請求項１】
他の無線通信装置が構成する第一のセルへ接続し、前記第一のセルへの接続が規制されると、少なくとも一つ以上のセルにおける接続の規制の度合いに対応する制御情報の値に応じて、前記第一のセルとは異なる第二のセルの選択または再選択を行う制御部を備え、
前記制御部によって前記第二のセルの選択または再選択を行うと、前記第一のセルではなく前記第二のセルにキャンプオンする、
ことを特徴とする無線通信装置。
【請求項２】
前記少なくとも一つ以上のセルは、前記第一のセルとは異なるセルを含むことを特徴とする請求項１に記載の無線通信装置。
【請求項３】
前記少なくとも一つ以上のセルにおける接続の規制の度合いに対応する制御情報は、前記少なくとも一つ以上のセルにおける接続の規制における規制確率を含むことを特徴とする請求項１または２に記載の無線通信装置。
【請求項４】
前記少なくとも一つ以上のセルにおける接続の規制の度合いに対応する制御情報は、前記少なくとも一つ以上のセルにおける接続の規制における接続規制時間を含むことを特徴とする請求項１〜３のいずれか一つに記載の無線通信装置。
【請求項５】
前記少なくとも一つ以上のセルにおける接続の規制の度合いに対応する制御情報は、前記選択または再選択のために前記少なくとも一つ以上のセルについて算出される基準値であって、前記少なくとも一つ以上のセルの無線品質の測定結果に基づく基準値に対するオフセット値を含むことを特徴とする請求項１〜４のいずれか一つに記載の無線通信装置。
【請求項６】
自装置が構成するセルへの接続を規制する制御部と、
前記自装置が構成するセルとは異なるセルを含む少なくとも一つ以上のセルにおける接続の規制の度合いに対応する制御情報を含む報知信号を送信する送信部と、
を備えることを特徴とする無線通信装置。
【請求項７】
第一のセルを構成する第一の無線通信装置と、
前記第一のセルに接続し、前記第一のセルへの接続が規制されると、少なくとも一つ以上のセルにおける接続の規制の度合いに対応する制御情報の値に応じて、前記第一のセルとは異なる第二のセルの選択または再選択を行い、前記第二のセルの選択または再選択を行うと、前記第一のセルではなく前記第二のセルにキャンプオンする第二の無線通信装置と、
を含むことを特徴とする無線通信システム。
【請求項８】
他の無線通信装置が構成する第一のセルへ接続する無線通信装置による無線通信方法であって、
前記第一のセルへの接続が規制されると、少なくとも一つ以上のセルにおける接続の規制の度合いに対応する制御情報の値に応じて、前記第一のセルとは異なる第二のセルの選択または再選択を行い、
前記第二のセルの選択または再選択を行うと、前記第一のセルではなく前記第二のセルにキャンプオンする、
ことを特徴とする無線通信方法。
【請求項９】
セルを構成する無線通信装置による無線通信方法であって、
前記無線通信装置が構成するセルとは異なるセルを含む少なくとも一つ以上のセルにおける接続の規制の度合いに対応する制御情報を取得し、
前記無線通信装置が構成するセルへの接続を規制する場合に、取得した前記制御情報を含む報知信号を送信する、
ことを特徴とする無線通信方法。
【手続補正２】
【補正対象書類名】明細書
【補正対象項目名】全文
【補正方法】変更
【補正の内容】
【発明の詳細な説明】
【技術分野】
【０００１】
本発明は、無線通信装置、無線通信システムおよび無線通信方法に関する。
【背景技術】
【０００２】
従来、３ＧＰＰ（３ｒｄ  Ｇｅｎｅｒａｔｉｏｎ  Ｐａｒｔｎｅｒｓｈｉｐ  Ｐｒｏｊｅｃｔ）において規定されたＬＴＥ（Ｌｏｎｇ  Ｔｅｒｍ  Ｅｖｏｌｕｔｉｏｎ）などの移動体通信が知られている（たとえば、下記非特許文献１〜１５参照。）。また、基地局が形成する各セルに選択確率やプライオリティを設定してセル間の負荷分散を行う技術が知られている（たとえば、下記非特許文献１６，１７参照。）。
【０００３】
また、基地局が、移動局がアイドルからアクティブに遷移する場合にアクセスする事前選択セルを選択するための選択確率を報知し、移動局が、選択情報に基づいて事前選択セルを選択して回線設定を行う技術が知られている（たとえば、下記特許文献１参照。）。
【０００４】
また、所定の帯域幅を有する複数のセルを運用する基地局において、各セルにおけるトラヒック状況を測定し、測定したトラヒック状況に基づいて、移動局を移行させる移行先セルを決定し、決定した移行先セルをページングチャネルにより移動局に通知する技術が知られている（たとえば、下記特許文献２参照。）。
【先行技術文献】
【特許文献】
【０００５】
【特許文献１】国際公開第２００８／０２３６０９号
【特許文献２】国際公開第２００８／０２３６１１号
【非特許文献】
【０００６】
【非特許文献１】３ＧＰＰ  ＴＳ３６．３００  Ｖ１２．５．０、２０１５年３月
【非特許文献２】３ＧＰＰ  ＴＳ３６．３０４  Ｖ１２．４．０、２０１５年３月
【非特許文献３】３ＧＰＰ  ＴＳ３６．２１１  Ｖ１２．５．０、２０１５年３月
【非特許文献４】３ＧＰＰ  ＴＳ３６．２１２  Ｖ１２．４．０、２０１５年３月
【非特許文献５】３ＧＰＰ  ＴＳ３６．２１３  Ｖ１２．５．０、２０１５年３月
【非特許文献６】３ＧＰＰ  ＴＳ３６．３２１  Ｖ１２．５．０、２０１５年３月
【非特許文献７】３ＧＰＰ  ＴＳ３６．３２２  Ｖ１２．２．０、２０１５年３月
【非特許文献８】３ＧＰＰ  ＴＳ３６．３２３  Ｖ１２．３．０、２０１５年３月
【非特許文献９】３ＧＰＰ  ＴＳ３６．３３１  Ｖ１２．５．０、２０１５年３月
【非特許文献１０】３ＧＰＰ  ＴＳ３６．４１３  Ｖ１２．５．０、２０１５年３月
【非特許文献１１】３ＧＰＰ  ＴＳ３６．４２３  Ｖ１２．５．０、２０１５年３月
【非特許文献１２】３ＧＰＰ  ＴＳ３６．４２５  Ｖ１２．１．０、２０１５年３月
【非特許文献１３】３ＧＰＰ  ＴＲ３６．８４２  Ｖ１２．０．０、２０１３年１２月
【非特許文献１４】３ＧＰＰ  ＲＰ−１５０４９１、２０１５年３月
【非特許文献１５】３ＧＰＰ  ＴＳ２５．３０４  Ｖ１２．５．０、２０１５年３月
【非特許文献１６】３ＧＰＰ  Ｒ２−１４２４９５、２０１４年５月
【非特許文献１７】３ＧＰＰ  Ｒ２−１４２５３０、２０１４年５月
【発明の概要】
【発明が解決しようとする課題】
【０００７】
しかしながら、上述した従来技術では、たとえばセル間の負荷の偏りを解消するために各セルに選択確率やプライオリティを設定することを要するため、システムへ与える影響が大きくなる。このため、システムへの影響を抑えつつセル間の負荷の偏りを解消することができない場合がある。
【０００８】
１つの側面では、本発明は、システムへの影響を抑えつつセル間の負荷の偏りを解消することができる無線通信装置、無線通信システムおよび無線通信方法を提供することを目的とする。
【課題を解決するための手段】
【０００９】
上述した課題を解決し、目的を達成するため、本発明の一側面によれば、他の無線通信装置が構成する第一のセルへ接続する無線通信装置において、前記第一のセルへの接続が規制されると、少なくとも一つ以上のセルにおける接続の規制の度合いに対応する制御情報の値に応じて、前記第一のセルとは異なる第二のセルの選択または再選択を行い、前記第二のセルの選択または再選択を行うと、前記第一のセルではなく前記第二のセルにキャンプオンする無線通信装置、無線通信システムおよび無線通信方法が提案される。
【００１０】
本願発明の別の一側面によれば、セルを構成する無線通信装置において、前記無線通信装置が構成するセルとは異なるセルを含む少なくとも一つ以上のセルにおける接続の規制の度合いに対応する制御情報を取得し、前記無線通信装置が構成するセルへの接続を規制する場合に、取得した前記制御情報を含む報知信号を送信する無線通信装置、無線通信システムおよび無線通信方法が提案される。
【発明の効果】
【００１１】
本発明の一側面によれば、システムへの影響を抑えつつセル間の負荷の偏りを解消することができるという効果を奏する。
【図面の簡単な説明】
【００１２】
【図１】図１は、実施の形態１にかかる無線通信システムの一例を示す図である。
【図２】図２は、実施の形態２にかかる無線通信システムに適用可能なアクセスクラス規制の一例を示す図である。
【図３】図３は、実施の形態２にかかる無線通信システムにおけるセルリセレクションの一例を示す図である。
【図４】図４は、実施の形態２にかかる端末の一例を示す図である。
【図５】図５は、実施の形態２にかかる端末のハードウェア構成の一例を示す図である。
【図６】図６は、実施の形態２にかかる基地局の一例を示す図である。
【図７】図７は、実施の形態２にかかる基地局のハードウェア構成の一例を示す図である。
【図８】図８は、実施の形態２にかかる端末のアイドルモードにおけるセルセレクションおよびセルリセレクションの一例を示す図（その１）である。
【図９】図９は、実施の形態２にかかる端末のアイドルモードにおけるセルセレクションおよびセルリセレクションの一例を示す図（その２）である。
【図１０】図１０は、実施の形態２にかかる端末のアイドルモードにおけるセルセレクションおよびセルリセレクションの一例を示す図（その３）である。
【図１１】図１１は、実施の形態２にかかる端末による処理の一例を示すフローチャートである。
【図１２】図１２は、実施の形態３にかかる無線通信システムにおけるセルリセレクションの一例を示す図である。
【図１３】図１３は、実施の形態３にかかる端末による処理の他の例を示すフローチャートである。
【発明を実施するための形態】
【００１３】
以下に図面を参照して、本発明にかかる無線通信装置、無線通信システムおよび無線通信方法の実施の形態を詳細に説明する。
【００１４】
（実施の形態１）
図１は、実施の形態１にかかる無線通信システムの一例を示す図である。図１に示すように、実施の形態１にかかる無線通信システム１００は、第一の無線通信装置１１０と、第二の無線通信装置１２０と、を含む。
【００１５】
第一の無線通信装置１１０は、第一のセル１０１を構成する。たとえば、第一の無線通信装置１１０は、第一のセル１０１における端末との間で無線通信が可能な基地局である。第一の無線通信装置１１０は、たとえば第一のセル１０１における負荷状況に応じて、第一のセル１０１への接続の規制を行う。
【００１６】
第一の無線通信装置１１０は、制御部１１１と、送信部１１２と、を備える。制御部１１１は、自装置が形成する第一のセル１０１への接続を規制する制御を行う。たとえば、制御部１１１は、自装置における規制確率および接続規制時間を設定することにより第一のセル１０１への接続を規制する。
【００１７】
規制確率は、たとえば、端末が、自端末が規制対象か否かを判断するために、自端末において算出した乱数値と比較する値である。すなわち、端末は、接続先のセルについて、該セルの規制確率と自端末において算出した乱数値とを比較し、比較結果に基づいて自端末が規制対象か否かを判断する。そして、端末は、自端末が規制対象であると判断した場合は、該セルと自端末との間の通信を制限する。
【００１８】
接続規制時間は、たとえば、端末が、自端末が規制対象であると判断した場合に、該セルと自端末との間の通信を制限する時間を算出するための値である。たとえば、端末は、自端末が規制対象であると判断した場合に、平均値が接続規制時間となる分布の確率を用いて接続規制時間を算出し、算出した接続規制時間だけ該セルと自端末との間の通信を制限する。
【００１９】
送信部１１２は、少なくとも一つ以上のセルにおける接続の規制の度合いに対応する制御情報を取得する。そして、送信部１１２は、取得した制御情報を含む報知信号を無線により送信する。報知信号は、たとえば第一のセル１０１における各端末が受信可能な情報である。
【００２０】
少なくとも一つ以上のセルには、たとえば第一のセル１０１とは異なるセルが含まれる。たとえば、少なくとも一つ以上のセルには、第一のセル１０１と異なる第二のセル１０２が含まれる。第二のセル１０２は、第二の無線通信装置１２０が接続可能なセルである。また、少なくとも一つ以上のセルには、第二の無線通信装置１２０が接続可能でない第三のセル１０３が含まれていてもよい。なお、第二のセル１０２や第三のセル１０３は、第一のセル１０１と同一の基地局によって形成されたセルであってもよい。
【００２１】
接続の規制の度合いに対応する制御情報には、たとえば、接続の規制における規制確率が含まれる。または、接続の規制の度合いに対応する制御情報には、接続の規制における接続規制時間が含まれていてもよい。または、接続の規制の度合いに対応する制御情報には、上述した規制確率および接続規制時間の両方が含まれていてもよい。
【００２２】
または、接続の規制の度合いに対応する制御情報には、セルの選択またはセルの再選択のために各セルについて算出される基準値であって、各セルの無線品質の測定結果に基づく基準値に対するオフセット値が含まれていてもよい。または、接続の規制の度合いに対応する制御情報には、上述した規制確率および接続規制時間の少なくとも一方と、上述したオフセット値と、の両方が含まれていてもよい。
【００２３】
これにより、第一の無線通信装置１１０は、第二の無線通信装置１２０に対して、少なくとも一つ以上のセルにおける接続の規制の度合いに対応する制御情報を通知することができる。また、第一の無線通信装置１１０は、たとえば、少なくとも一つ以上のセルのうちの接続の規制が行われていないセル（たとえば接続の規制度合いがゼロのセル）については、接続の規制度合いを示す制御情報を報知信号に含めなくてもよい。この場合は、第二の無線通信装置１２０は、報知信号に制御情報が含まれていないセルについては、接続の規制が行われていない（たとえば接続の規制度合いがゼロ）と判断する。
【００２４】
第二の無線通信装置１２０は、第一の無線通信装置１１０が構成する第一のセル１０１に接続している。第二の無線通信装置１２０は、たとえば基地局との間で無線通信が可能な端末である。第二の無線通信装置１２０は、制御部１２１を備えている。
【００２５】
制御部１２１は、第一の無線通信装置１１０によって第一のセル１０１への接続が規制されると、少なくとも一つ以上のセルにおける接続の規制の度合いに対応する制御情報の値に応じて、第一のセル１０１と異なる第二のセル１０２の選択または再選択を行う。この制御情報は、たとえば上述した第一の無線通信装置１１０からの報知信号によって得ることができる。
【００２６】
第二のセル１０２の選択は、たとえば接続先のセルを選択するセルセレクションである。第二のセル１０２の再選択は、たとえば接続先のセルを再選択するセルリセレクションである。第二の無線通信装置１２０は、制御部１２１によって第二のセル１０２の選択または再選択を行うと、第一のセル１０１ではなく第二のセル１０２にキャンプオンする。セルへのキャンプオンとは、たとえば、該セルに対するＮＡＳ（Ｎｏｎ  Ａｃｃｅｓｓ  Ｓｔｒａｔｕｍ：非アクセス層）の登録を行い、該セルによるサービスを利用可能な状態となることである。すなわち、第二の無線通信装置１２０は、接続先のセルを第一のセル１０１から第二のセル１０２に切り替える。
【００２７】
このように、実施の形態１にかかる第二の無線通信装置１２０は、接続先の第一のセル１０１への接続が規制されると、少なくとも一つ以上のセルにおける接続の規制の度合いに対応する制御情報の値に応じて第二のセル１０２の選択または再選択を行う。そして、第二の無線通信装置１２０は、第二のセル１０２の選択または再選択を行うと、第一のセル１０１ではなく第二のセル１０２にキャンプオンする。
【００２８】
これにより、接続が規制された第一のセル１０１から他の第二のセル１０２への切り替えが行われ、接続が規制された第一のセル１０１における負荷を減らし、セル間の負荷の偏りを解消することができる。また、接続の規制の度合いに対応する制御情報の値を用いて第二のセル１０２の選択または再選択を行うことで、たとえばセルごとに選択確率やプライオリティを設定しなくてもセル間の負荷の偏りを解消できるため、システムへの影響を抑えることができる。
【００２９】
つぎに、図１に示した実施の形態１にかかる無線通信システム１００の詳細について、実施の形態２，３を用いて説明する。実施の形態２，３は、上述した実施の形態１を具象化した実施例として捉えることができるため、実施の形態１と組み合わせて実施することが可能である。
【００３０】
（実施の形態２）
図２は、実施の形態２にかかる無線通信システムに適用可能なアクセスクラス規制の一例を示す図である。図２に示すように、実施の形態２にかかる無線通信システム２００は、基地局２１０と、端末２０１，２０２と、を含む。本実施の形態は、実施の形態１をより具象化した実施例として捉えることもでき、したがって実施の形態１と組み合わせて実施することが可能である。
【００３１】
基地局２１０には、たとえば３ＧＰＰにおいて規定されたｅＮＢ（ｅｖｏｌｖｅｄ  Ｎｏｄｅ  Ｂ）などの各種の基地局を適用することができる。また、基地局２１０は、範囲の大きいセル（マクロセル）を形成するマクロ基地局であってもよいし、範囲の小さいセル（スモールセル）を形成するスモール基地局であってもよい。
【００３２】
端末２０１，２０２には、たとえば３ＧＰＰにおいて規定されたＵＥ（Ｕｓｅｒ  Ｅｑｕｉｐｍｅｎｔ：ユーザ端末）などの各種の端末を適用することができる。セル２１１は、基地局２１０によって形成されるセルである。端末２０１，２０２は、セル２１１に在圏しており、基地局２１０との間で無線通信が可能である。
【００３３】
基地局２１０は、たとえばセル２１１の負荷状態に応じて、一時的にセル２１１へのアクセスを規制するＡＣＢ（Ａｃｃｅｓｓ  Ｃｌａｓｓ  Ｂａｒｒｉｎｇ：アクセスクラス規制）を行う。ＡＣＢにおいては、たとえば、端末２０１，２０２からのデータ発信または制御信号発信を規制することが可能である。または、ＡＣＢにおいては、端末２０１，２０２からのデータ発信および制御信号発信の両方を同時に規制することも可能である。
【００３４】
基地局２１０は、ＡＣＢを行う場合に、セル２１１の範囲内に送信する報知信号２５０に、規制確率（ａｃ−Ｂａｒｒｉｎｇ  Ｆａｃｔｏｒ）および接続規制時間（ａｃ−Ｂａｒｒｉｎｇ  Ｔｉｍｅ）を格納する。規制確率および接続規制時間は、一例としては報知信号２５０のＳＩＢ（Ｓｙｓｔｅｍ  Ｉｎｆｏｒｍａｔｉｏｎ  Ｂｌｏｃｋ：システム情報ブロック）に格納することができる。規制確率および接続規制時間は、たとえばセル２１１の負荷状態に応じて設定される。たとえば、セル２１１の負荷が大きいほど規制確率が低く設定される。また、たとえば、セル２１１の負荷が大きいほど接続規制時間が長く設定される。
【００３５】
規制確率は、各端末が、自端末が規制対象か否かを判断するための確率である。規制確率は、一例としては０〜９５％の範囲で設定可能である。接続規制時間は、各端末が、自端末が規制対象であると判断した場合にデータ発信や制御信号発信を制限する時間を算出するための値である。接続規制時間は、一例としては４秒、８秒、１６秒、…５１２秒の中から設定可能である。
【００３６】
端末２０１，２０２のそれぞれは、基地局２１０から報知信号２５０によって報知される規制確率および接続規制時間を取得する。そして、端末２０１，２０２のそれぞれは、自端末において乱数値を算出し、算出した乱数値が規制確率以上である場合は規制対象となり、セル２１１へのデータ発信や制御信号発信を制限する。また、端末２０１，２０２のそれぞれは、算出した乱数値が規制確率未満である場合は規制対象とならず、セル２１１へのデータ発信や制御信号発信を制限しない。
【００３７】
図２に示す例では、基地局２１０がセル２１１について報知信号２５０によって報知した規制確率が４０％であったとする。また、端末２０１，２０２が算出した乱数値がそれぞれ３０％および６０％であったとする。この場合は、端末２０１は、算出した乱数値（３０％）が規制確率（４０％）未満であるため、規制対象とならず、セル２１１へのデータ発信や制御信号発信を制限しない（アクセス可）。端末２０２は、算出した乱数値（６０％）が規制確率（４０％）以上であるため、規制対象となり、セル２１１へのデータ発信や制御信号発信を制限する（アクセス不可）。
【００３８】
図３は、実施の形態２にかかる無線通信システムにおけるセルリセレクションの一例を示す図である。図３に示す、実施の形態２にかかる無線通信システム３００は、図２に示した無線通信システム２００に対応する。無線通信システム３００は、マクロセル３１１，３１２と、スモールセル３２１〜３２６と、端末３０１〜３０６と、を含む。
【００３９】
マクロセル３１１，３１２（ＭＣ１，ＭＣ２）およびスモールセル３２１〜３２６（ＳＣ１〜ＳＣ６）のそれぞれは、たとえば図２に示したセル２１１に対応する。端末３０１〜３０６のそれぞれは、たとえば図２に示した端末２０１または端末２０２に対応する。
【００４０】
マクロセル３１１，３１２は、それぞれ周波数がＦ１，Ｆ２の周波数のセルである。マクロセル３１１は、マクロ基地局３１０によって形成される。マクロセル３１２は、マクロ基地局３１０、またはマクロ基地局３１０と異なるマクロ基地局によって形成される。
【００４１】
スモールセル３２１〜３２６は、それぞれ周波数がＦ３，Ｆ３，Ｆ４，Ｆ３，Ｆ４，Ｆ２のセルである。スモールセル３２１〜３２６は、それぞれスモール基地局によって形成される。
【００４２】
図３に示す例では、端末３０１〜３０６がスモールセル３２６に接続しており、スモールセル３２６においてＡＣＢが行われる場合について説明する。この場合に、スモールセル３２６は、スモールセル３２６において送信する報知信号により規制確率リスト３５０を報知する。
【００４３】
規制確率リスト３５０は、スモールセル３２６（自セル）における規制確率に加えて、スモールセル３２６の周辺のセルであるスモールセル３２２，３２３およびマクロセル３１２（他セル）の規制確率を示す情報である。また、規制確率リスト３５０は、スモールセル３２２，３２３，３２６およびマクロセル３１２における接続規制時間をさらに示していてもよい。スモールセル３２６，３２２，３２３（ＳＣ６，ＳＣ２，ＳＣ３）およびマクロセル３１２（ＭＣ２）の規制確率は、図３に示す例ではそれぞれ７０％、１０％、３０％および４０％である。
【００４４】
たとえば、スモールセル３２６を形成する基地局は、スモールセル３２２，３２３およびマクロセル３１２を形成する各基地局から規制確率や接続規制時間を示す情報を収集することにより規制確率リスト３５０を生成することができる。規制確率や接続規制時間を示す情報の収集には、たとえばスモールセル３２６と他の各基地局との間の基地局間インタフェース（たとえばＸ２インタフェース）を用いることができる。
【００４５】
端末３０１〜３０６のそれぞれは、スモールセル３２６において報知される規制確率リスト３５０を取得する。そして、端末３０１〜３０６のそれぞれは、算出した乱数値と、接続中のスモールセル３２６における規制確率（７０％）と、を比較する。図３に示す例では、端末３０１〜３０６のうちの端末３０１，３０３，３０４において、乱数値がスモールセル３２６の規制確率（７０％）以上となり、規制対象になったとする。
【００４６】
この場合に、規制対象となった端末３０１，３０３，３０４のそれぞれは、接続先のセルを再選択するセルリセレクションを行う。この際に、端末３０１，３０３，３０４のそれぞれは、再選択の候補の各セルについての無線品質の測定結果に基づいて、再選択の候補の各セルをランキングすることによりベストセル（Ｂｅｓｔ  Ｃｅｌｌ）を選択する。無線品質の測定結果には、一例としてはＲＳＲＰ（Ｒｅｆｅｒｅｎｃｅ  Ｓｉｇｎａｌ  Ｒｅｃｅｉｖｅｄ  Ｐｏｗｅｒ：基準信号受信電力）が用いられる。たとえば、ベストセルは、無線品質の測定結果や他の情報（たとえばオフセット値）に基づく評価値が最も高いセルである。
【００４７】
さらに、端末３０１，３０３，３０４のそれぞれは、ベストセルの選択において、無線品質の測定結果に加えて、再選択の候補の各セルの規制確率および接続規制時間の少なくともいずれかを用いる。再選択の候補の各セルの規制確率および接続規制時間は、規制確率リスト３５０から取得することができる。
【００４８】
図３に示す例では、端末３０１は、セルリセレクションの結果、スモールセル３２３へ接続先を変更している。また、端末３０３は、セルリセレクションの結果、スモールセル３２２へ接続先を変更している。また、端末３０３は、セルリセレクションの結果、マクロセル３１２へ接続先を変更している。
【００４９】
図１に示した第一の無線通信装置１１０は、たとえばマクロセル３１１，３１２およびスモールセル３２１〜３２６を形成する各基地局によって実現することができる。図１に示した第二の無線通信装置１２０は、たとえば端末３０１〜３０６によって実現することができる。
【００５０】
図４は、実施の形態２にかかる端末の一例を示す図である。図３に示した端末３０１〜３０６は、たとえば図４に示す端末４００により実現することができる。端末４００は、無線通信部４１０と、制御部４２０と、記憶部４３０と、を備える。無線通信部４１０は、無線送信部４１１と、無線受信部４１２と、を備える。これらの各構成は、一方向または双方向に、信号やデータの入出力が可能なように接続されている。
【００５１】
無線送信部４１１は、ユーザデータや制御信号を、アンテナを介して無線通信で送信する。無線送信部４１１が送信する無線信号には、任意のユーザデータや制御情報など（符号化や変調等がなされる）を含めることができる。無線受信部４１２は、ユーザデータや制御信号を、アンテナを介して無線通信で受信する。無線受信部４１２が受信する無線信号には、任意のユーザデータや制御信号など（符号化や変調等がなされる）を含めることができる。なお、アンテナは送信と受信で共通でもよい。
【００５２】
制御部４２０は、他の無線局へ送信するユーザデータや制御信号を無線送信部４１１に出力する。また、制御部４２０は、無線受信部４１２によって受信されたユーザデータや制御信号を取得する。制御部４２０は、後述する記憶部４３０との間でユーザデータ、制御情報、プログラムなどの入出力を行う。また、制御部４２０は、無線通信部４１０との間で、他の通信装置などとの間で送受信するユーザデータや制御信号の入出力を行う。制御部４２０は、これら以外にも、端末４００における種々の制御を行う。記憶部４３０は、ユーザデータ、制御情報、プログラムなどの各種情報の記憶を行う。
【００５３】
図１に示した第二の無線通信装置１２０の制御部１２１は、たとえば制御部４２０により実現することができる。
【００５４】
図５は、実施の形態２にかかる端末のハードウェア構成の一例を示す図である。図４に示した端末４００は、たとえば図５に示す端末５００により実現することができる。端末５００は、たとえば、アンテナ５１１と、ＲＦ回路５１２と、プロセッサ５１３と、メモリ５１４と、を備える。これら各構成要素は、たとえばバスを介して各種信号やデータの入出力が可能なように接続されている。
【００５５】
アンテナ５１１は、無線信号を送信する送信アンテナと、無線信号を受信する受信アンテナと、を含む。また、アンテナ５１１は、無線信号を送受信する共用アンテナであってもよい。ＲＦ回路５１２は、アンテナ５１１によって受信された信号や、アンテナ５１１によって送信される信号のＲＦ（Ｒａｄｉｏ  Ｆｒｅｑｕｅｎｃｙ：高周波）処理を行う。ＲＦ処理には、たとえばベースバンド帯とＲＦ帯との周波数変換が含まれる。
【００５６】
プロセッサ５１３は、たとえばＣＰＵ（Ｃｅｎｔｒａｌ  Ｐｒｏｃｅｓｓｉｎｇ  Ｕｎｉｔ：中央処理装置）やＤＳＰ（Ｄｉｇｉｔａｌ  Ｓｉｇｎａｌ  Ｐｒｏｃｅｓｓｏｒ）などである。また、プロセッサ５１３は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、ＬＳＩ（Ｌａｒｇｅ  Ｓｃａｌｅ  Ｉｎｔｅｇｒａｔｉｏｎ：大規模集積回路）などのデジタル電子回路により実現してもよい。
【００５７】
メモリ５１４は、たとえばＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）などのＲＡＭ（Ｒａｎｄｏｍ  Ａｃｃｅｓｓ  Ｍｅｍｏｒｙ：ランダムアクセスメモリ）、ＲＯＭ（Ｒｅａｄ  Ｏｎｌｙ  Ｍｅｍｏｒｙ）、フラッシュメモリにより実現することができる。メモリ５１４は、たとえばユーザデータ、制御情報、プログラムなどを格納する。
【００５８】
図４に示した無線通信部４１０は、たとえばアンテナ５１１およびＲＦ回路５１２により実現することができる。図４に示した制御部４２０は、たとえばプロセッサ５１３により実現することができる。図４に示した記憶部４３０は、たとえばメモリ５１４により実現することができる。
【００５９】
図６は、実施の形態２にかかる基地局の一例を示す図である。図３に示したマクロセル３１１，３１２およびスモールセル３２１〜３２６を形成する基地局のそれぞれは、たとえば図６に示す基地局６００により実現することができる。図６に示すように、基地局６００は、たとえば、無線通信部６１０と、制御部６２０と、記憶部６３０と、通信部６４０と、を備える。無線通信部６１０は、無線送信部６１１と、無線受信部６１２と、を備える。これらの各構成は、一方向または双方向に、信号やデータの入出力が可能なように接続されている。
【００６０】
無線送信部６１１は、ユーザデータや制御信号を、アンテナを介して無線通信で送信する。無線送信部６１１が送信する無線信号には、任意のユーザデータや制御情報など（符号化や変調等がなされる）を含めることができる。無線受信部６１２は、ユーザデータや制御信号を、アンテナを介して無線通信で受信する。無線受信部６１２が受信する無線信号には、任意のユーザデータや制御信号など（符号化や変調等がなされる）を含めることができる。なお、アンテナは送信と受信で共通でもよい。
【００６１】
制御部６２０は、他の無線局へ送信するユーザデータや制御信号を無線送信部６１１に出力する。また、制御部６２０は、無線受信部６１２によって受信されたユーザデータや制御信号を取得する。制御部６２０は、後述する記憶部６３０との間でユーザデータ、制御情報、プログラムなどの入出力を行う。また、制御部６２０は、後述する通信部６４０との間で、他の通信装置などとの間で送受信するユーザデータや制御信号の入出力を行う。制御部６２０は、これら以外にも、基地局６００における種々の制御を行う。
【００６２】
記憶部６３０は、ユーザデータ、制御情報、プログラムなどの各種情報の記憶を行う。通信部６４０は、たとえば有線信号によって、他の通信装置との間でユーザデータや制御信号を送受信する。上述した規制確率や接続規制時間を示す情報の収集に用いられる基地局間インタフェースは、たとえば通信部６４０により実現することができる。
【００６３】
図１に示した第一の無線通信装置１１０の制御部１１１は、たとえば制御部６２０により実現することができる。図１に示した第一の無線通信装置１１０の送信部１１２は、たとえば無線送信部６１１および制御部６２０により実現することができる。
【００６４】
図７は、実施の形態２にかかる基地局のハードウェア構成の一例を示す図である。図６に示した基地局６００は、たとえば図７に示す基地局７００により実現することができる。基地局７００は、アンテナ７１１と、ＲＦ回路７１２と、プロセッサ７１３と、メモリ７１４と、ネットワークＩＦ７１５と、を備える。これら各構成要素は、たとえばバスを介して各種信号やデータの入出力が可能なように接続されている。
【００６５】
アンテナ７１１は、無線信号を送信する送信アンテナと、無線信号を受信する受信アンテナと、を含む。また、アンテナ７１１は、無線信号を送受信する共用アンテナであってもよい。ＲＦ回路７１２は、アンテナ７１１によって受信された信号や、アンテナ７１１によって送信される信号のＲＦ処理を行う。ＲＦ処理には、たとえばベースバンド帯とＲＦ帯との周波数変換が含まれる。
【００６６】
プロセッサ７１３は、たとえばＣＰＵやＤＳＰなどである。また、プロセッサ７１３は、ＡＳＩＣ、ＦＰＧＡ、ＬＳＩなどのデジタル電子回路により実現してもよい。
【００６７】
メモリ７１４は、たとえばＳＤＲＡＭなどのＲＡＭ、ＲＯＭ、フラッシュメモリにより実現することができる。メモリ７１４は、たとえばユーザデータ、制御情報、プログラムなどを格納する。
【００６８】
ネットワークＩＦ７１５は、たとえば有線によってネットワークとの間で通信を行う通信インタフェースである。ネットワークＩＦ７１５は、たとえば基地局間で有線通信を行うためのＸｎインタフェースを含んでもよい。
【００６９】
図６に示した無線通信部６１０は、たとえばアンテナ７１１およびＲＦ回路７１２により実現することができる。図６に示した制御部６２０は、たとえばプロセッサ７１３により実現することができる。図６に示した記憶部６３０は、たとえばメモリ７１４により実現することができる。図６に示した通信部６４０は、たとえばネットワークＩＦ７１５により実現することができる。
【００７０】
図８〜図１０は、実施の形態２にかかる端末のアイドルモードにおけるセルセレクションおよびセルリセレクションの一例を示す図である。図８〜図１０に示す状態遷移／プロシージャ８００は、実施の形態２にかかる端末４００のアイドルモードにおけるセルセレクションおよびセルリセレクションの状態遷移およびプロシージャを示している。
【００７１】
状態遷移／プロシージャ８００には、たとえば３ＧＰＰのＴＳ２５．３０４に規定されたアイドルモードにおけるセルセレクションおよびセルリセレクションの状態遷移およびプロシージャを適用することができる。端末４００は、新しいＰＬＭＮ（Ｐｕｂｌｉｃ  Ｌａｎｄ  Ｍｏｂｉｌｅ  Ｎｅｔｗｏｒｋ：公衆陸上移動体ネットワーク）を選択した場合に状態８０１へ移行する。
【００７２】
たとえば、端末４００は、選択したＰＬＭＮについて保存したセル情報がない場合は、状態８０１から図８の太線矢印のように状態遷移して初期セルセレクション８０２を行う。そして、端末４００は、初期セルセレクション８０２によって適切なセル（ｓｕｉｔａｂｌｅ  ｃｅｌｌ）を発見した場合は、発見した適切なセルへ接続して正常キャンプ８０３（Ｃａｍｐｅｄ  Ｎｏｒｍａｌｌｙ）の状態となる。正常キャンプ８０３は、端末４００が発見した適切なセルへ接続（キャンプオン）した状態である。
【００７３】
また、端末４００は、選択したＰＬＭＮについて保存したセル情報がある場合は、状態８０１から図９の太線矢印のように状態遷移し、保存したセル情報に基づいてセルを選択する保存情報セルセレクション９０１（Ｓｔｏｒｅｄ  ｉｎｆｏｒｍａｔｉｏｎ  Ｃｅｌｌ  Ｓｅｌｅｃｔｉｏｎ）を行う。そして、端末４００は、保存情報セルセレクション９０１によって適切なセルを発見した場合は、発見した適切なセルへ接続して正常キャンプ８０３の状態となる。
【００７４】
また、端末４００は、正常キャンプ８０３において、セルリセレクションのトリガが発生すると、図１０の太線矢印のように状態遷移し、セルリセレクション評価プロセス１００１（Ｃｅｌｌ  Ｒｅｓｅｌｅｃｔｉｏｎ  Ｅｖａｌｕａｔｉｏｎ  Ｐｒｏｃｅｓｓ）を行う。そして、端末４００は、セルリセレクション評価プロセス１００１によって適切なセルを発見した場合は、発見した適切なセルへ接続して正常キャンプ８０３へ戻る。セルリセレクションのトリガは、一例としては周期的に発生する周期である。
【００７５】
図１１は、実施の形態２にかかる端末による処理の一例を示すフローチャートである。実施の形態２にかかる端末４００は、たとえば図１１に示す各ステップを実行する。まず、端末４００は、自端末がキャンプオンしているセルからの報知信号を受信する（ステップＳ１１０１）。つぎに、端末４００は、自端末がキャンプオンしているセルにおいてＡＣＢが実施されているか否かを判断する（ステップＳ１１０２）。ステップＳ１１０２の判断は、たとえばステップＳ１１０１によって受信した報知信号に含まれる情報に基づいて行うことができる。
【００７６】
ステップＳ１１０２において、ＡＣＢが実施されていない場合（ステップＳ１１０２：Ｎｏ）は、端末４００は、一連の処理を終了する。ＡＣＢが実施されている場合（ステップＳ１１０２：Ｙｅｓ）は、端末４００は、ステップＳ１１０１によって受信した報知信号に含まれる規制確率リストを取得する（ステップＳ１１０３）。規制確率リストは、たとえば、端末４００がキャンプオンしているセルにおける規制確率と、端末４００がキャンプオンしているセルの周辺のセルにおける規制確率と、を示す情報である。
【００７７】
つぎに、端末４００は、自端末が算出した乱数値が、自端末がキャンプオンしているセルにおける規制確率未満か否かを判断する（ステップＳ１１０４）。自端末がキャンプオンしているセルにおける規制確率は、たとえば、ステップＳ１１０３によって取得した規制確率リストから取得することができる。
【００７８】
ステップＳ１１０４において、乱数値が規制確率以上である場合（ステップＳ１１０４：Ｎｏ）は、端末４００は、自端末が規制対象でないと判断し、一連の処理を終了する。乱数値が規制確率未満である場合（ステップＳ１１０４：Ｙｅｓ）は、端末４００は、自端末が規制対象であると判断する。この場合は、端末４００は、自端末が算出した乱数値が規制確率未満となるセルの中からベストセルを選択し、選択したベストセルにキャンプオンし（ステップＳ１１０５）、一連の処理を終了する。
【００７９】
ステップＳ１１０５において、端末４００は、たとえば、報知信号に含まれる規制確率リストが示す各セルをセルリセレクション先の候補のセルとし、セルリセレクション先の候補のセルのそれぞれについて報知信号が示す規制確率を取得する。セルリセレクション先の候補には、端末４００がキャンプオンしているセルを含めてもよいし、端末４００がキャンプオンしているセルを含めなくてもよい。
【００８０】
端末４００は、セルリセレクション先の候補のセルのそれぞれについて、自端末が算出した乱数値と報知信号が示す規制確率を比較する。ステップＳ１１０５において用いる乱数値は、セルリセレクション先の候補のセルのそれぞれについて算出した乱数値であってもよいし、セルリセレクション先の候補のセルについて算出した共通の乱数値であってもよい。また、ステップＳ１１０５において用いる乱数値は、ステップＳ１１０４において用いた乱数値と同じ乱数値であってもよい。
【００８１】
端末４００は、セルリセレクション先の候補のセルのうちの乱数値が規制確率未満のセルの中からベストセルを選択し、選択したベストセルへキャンプオンする。たとえば、端末４００は、乱数値が規制確率未満のセルのうちの、端末４００における無線品質（たとえばＲＳＲＰ）が最も高いセルをベストセルとして選択する。これにより、規制確率が高い、すなわち規制度合が低いセルへ端末４００が接続先を変更する確率を高くし、セル間の負荷を分散させることができる。
【００８２】
ただし、ベストセルの選択方法はこれに限らず各種の方法を採用することができる。たとえば、端末４００は、乱数値が規制確率未満のセルのうちの、規制確率が最も高い（規制度合が最も低い）セルをベストセルとして選択してもよい。または、端末４００は、乱数値が規制確率未満のセルを、端末４００における無線品質および規制確率に基づいてランキングし、ランキングの結果に基づいてベストセルを選択してもよい。この場合は、端末４００における無線品質が高いセルほどベストセルに選択されやすくする。また、規制確率が高い（規制の度合いが低い）セルほどベストセルに選択されやすくする。
【００８３】
たとえば、端末４００は、乱数値が規制確率未満のセルのそれぞれについて下記（１）式によって基準値を算出し、算出した基準値が最も高いセルをベストセルとして選択する。下記（１）式におけるＡ，Ｂは０より大きい係数である。
【００８４】
基準値＝Ａ×無線品質＋Ｂ×規制確率  …（１）
【００８５】
また、ベストセルの選択において、規制確率に代えて接続規制時間を用いてもよい。この場合は、接続規制時間が短い（規制の度合いが低い）セルほどベストセルに選択されやすくする。たとえば、端末４００は、乱数値が規制確率未満のセルのそれぞれについて下記（２）式によって基準値を算出し、算出した基準値が最も高いセルをベストセルとして選択する。下記（２）式におけるＣは０より大きい係数である。
【００８６】
基準値＝Ａ×無線品質−Ｃ×接続規制時間  …（２）
【００８７】
また、ベストセルの選択において、規制確率および接続規制時間の両方を用いてもよい。たとえば、端末４００は、乱数値が規制確率未満のセルのそれぞれについて下記（３）式により基準値を算出し、算出した基準値が最も高いセルをベストセルとして選択する。
【００８８】
基準値＝Ａ×無線品質＋Ｂ×規制確率−Ｃ×接続規制時間  …（３）
【００８９】
また、乱数値が規制確率未満のセルの中からベストセルを選択する場合について説明したが、規制確率リストが示す各セルの中から、ＡＣＢによる規制の度合いに基づいてベストセルを選択してもよい。たとえば、端末４００は、規制確率リストが示す各セルについて上記（１）〜（３）式のいずれかによって基準値を算出し、算出した基準値が最も高いセルをベストセルとして選択する。
【００９０】
図１１を用いて説明したように、端末４００は、自端末が規制対象になった場合に、規制確率リストが示す各セルの規制の度合いを用いてセルリセレクションを行うことができる。これにより、規制の度合いが低い、すなわち負荷の小さいセルへ端末４００が接続先を変更する確率を高くし、セル間の負荷を分散させることができる。
【００９１】
このように、実施の形態２によれば、端末４００が、接続先のセルへの接続が規制されると、少なくとも一つ以上のセルにおけるＡＣＢの規制確率や接続規制時間の値に応じてセルリセレクション（再選択）を行う。そして、端末４００は、セルリセレクションによって選択したベストセルにキャンプオンする。
【００９２】
これにより、接続が規制されたセルから他のセルへの切り替えが行われ、接続が規制されたセルにおける負荷を減らし、セル間の負荷の偏りを解消することができる。また、ＡＣＢの規制確率や接続規制時間の値を用いてセルリセレクションを行うことで、たとえばセルごとに選択確率やプライオリティを設定しなくてもセル間の負荷の偏りを解消できるため、システムへの影響を抑えることができる。
【００９３】
たとえば、システム設計において、セルごとのパラメータとして選択確率やプライオリティを追加したり、セルごとの選択確率やプライオリティを算出する処理を追加したりしなくても、セル間の負荷の偏りを解消することが可能になる。
【００９４】
端末４００がセルリセレクション（再選択）を行う場合について説明したが、本実施の形態は端末４００がセルセレクション（選択）を行う場合についても適用可能である。これにより、接続が規制されたセルとは異なるセルへの接続が行われる可能性を高くすることができる。このため、接続が規制されたセルにおける負荷を減らし、セル間の負荷の偏りを解消することができる。
【００９５】
（実施の形態３）
実施の形態３について、実施の形態２と異なる部分について説明する。本実施の形態は、実施の形態１をより具象化した実施例として捉えることもでき、したがって実施の形態１と組み合わせて実施することが可能である。また、後述のように実施の形態２と組み合わせることも可能である。
【００９６】
図１２は、実施の形態３にかかる無線通信システムにおけるセルリセレクションの一例を示す図である。図１２において、図３に示した部分と同様の部分については同一の符号を付して説明を省略する。スモールセル３２６，３２２，３２３（ＳＣ６，ＳＣ２，ＳＣ３）およびマクロセル３１２（ＭＣ２）のそれぞれは、セルリセレクションにおいて自セルの基準値を算出するためのＱｏｆｆｓｅｔ＿ｔｅｍｐを設定している。
【００９７】
Ｑｏｆｆｓｅｔ＿ｔｅｍｐは、セルの負荷状態に応じて設定される。Ｑｏｆｆｓｅｔ＿ｔｅｍｐの設定には、たとえば３ＧＰＰのＴＳ３６．３３１に規定された技術を適用することができる。たとえば、Ｑｏｆｆｓｅｔ＿ｔｅｍｐは、セルの負荷が大きいほど大きく設定される。このＱｏｆｆｓｅｔ＿ｔｅｍｐは、接続の規制の度合いに対応する制御情報である。たとえば、Ｑｏｆｆｓｅｔ＿ｔｅｍｐが大きく設定されたセルは、セルリセレクションのために算出される基準値が低くなり、ベストセルとして選択されにくくなる。
【００９８】
スモールセル３２６は、スモールセル３２６において送信する報知信号によりオフセットリスト１２１０を報知する。オフセットリスト１２１０は、スモールセル３２６におけるＱｏｆｆｓｅｔ＿ｔｅｍｐと、スモールセル３２６の周辺のセルであるスモールセル３２２，３２３およびマクロセル３１２におけるＱｏｆｆｓｅｔ＿ｔｅｍｐと、を示す情報である。スモールセル３２６，３２２，３２３（ＳＣ６，ＳＣ２，ＳＣ３）およびマクロセル３１２（ＭＣ２）のＱｏｆｆｓｅｔ＿ｔｅｍｐは、図１２に示す例では、スモールセル３２６，３２２，３２３およびマクロセル３１２の規制確率がそれぞれ７０％、１０％、３０％および４０％となるように設定される。
【００９９】
たとえば、スモールセル３２６を形成する基地局は、スモールセル３２２，３２３およびマクロセル３１２を形成する各基地局からＱｏｆｆｓｅｔ＿ｔｅｍｐを示す情報を収集することによりオフセットリスト１２１０を生成することができる。Ｑｏｆｆｓｅｔ＿ｔｅｍｐを示す情報の収集には、たとえばスモールセル３２６と他の各基地局との間の基地局間インタフェース（たとえばＸ２インタフェース）を用いることができる。
【０１００】
端末３０１〜３０６のそれぞれは、算出した乱数値と、接続中のスモールセル３２６における規制確率と、を比較する。図１２に示す例では、端末３０１〜３０６のうちの端末３０１，３０３，３０４において、乱数値がスモールセル３２６の規制確率以上となり、規制対象になったとする。
【０１０１】
この場合に、規制対象となった端末３０１，３０３，３０４のそれぞれは、接続先のセルを再選択するセルリセレクションを行う。この際に、端末３０１，３０３，３０４のそれぞれは、再選択の候補の各セルについての無線品質（たとえばＲＳＲＰ）の測定結果に基づいて、再選択の候補の各セルをランキングすることによりベストセルを選択する。
【０１０２】
さらに、端末３０１，３０３，３０４のそれぞれは、ベストセルの選択において、無線品質の測定結果に加えて、再選択の候補の各セルについて、オフセットリスト１２１０が示すＱｏｆｆｓｅｔ＿ｔｅｍｐを用いる。
【０１０３】
図１２に示す例では、端末３０１は、セルリセレクションの結果、スモールセル３２３へ接続先を変更している。また、端末３０３は、セルリセレクションの結果、スモールセル３２２へ接続先を変更している。また、端末３０４は、セルリセレクションの結果、マクロセル３１２へ接続先を変更している。
【０１０４】
図１３は、実施の形態３にかかる端末による処理の他の例を示すフローチャートである。実施の形態３にかかる端末４００は、たとえば図１３に示す各ステップを実行する。まず、端末４００は、自端末がキャンプオンしているセルからの報知信号を受信する（ステップＳ１３０１）。つぎに、端末４００は、自端末がキャンプオンしているセルにおいてＡＣＢが実施されているか否かを判断する（ステップＳ１３０２）。ステップＳ１３０２の判断は、たとえばステップＳ１３０１によって受信した報知信号に含まれる情報に基づいて行うことができる。
【０１０５】
ステップＳ１３０２において、ＡＣＢが実施されていない場合（ステップＳ１３０２：Ｎｏ）は、端末４００は、一連の処理を終了する。ＡＣＢが実施されている場合（ステップＳ１３０２：Ｙｅｓ）は、端末４００は、ステップＳ１３０１によって受信した報知信号に含まれるオフセットリストを取得する（ステップＳ１３０３）。オフセットリストは、たとえば、端末４００がキャンプオンしているセルにおけるＱｏｆｆｓｅｔ＿ｔｅｍｐと、端末４００がキャンプオンしているセルの周辺のセルにおけるＱｏｆｆｓｅｔ＿ｔｅｍｐと、を示す情報である。
【０１０６】
つぎに、端末４００は、自端末が算出した乱数値が、自端末がキャンプオンしているセルにおける規制確率未満か否かを判断する（ステップＳ１３０４）。自端末がキャンプオンしているセルにおける規制確率は、たとえば、ステップＳ１３０１により受信した報知信号から取得することができる。乱数値が規制確率以上である場合（ステップＳ１３０４：Ｎｏ）は、端末４００は、自端末が規制対象でないと判断し、一連の処理を終了する。
【０１０７】
ステップＳ１３０４において、乱数値が規制確率未満である場合（ステップＳ１３０４：Ｙｅｓ）は、端末４００は、自端末が規制対象であると判断する。この場合は、端末４００は、セルリセレクションの候補の各セルについて、該セルの無線品質の測定結果にＱｏｆｆｓｅｔ＿ｔｅｍｐをかけた基準値を算出する（ステップＳ１３０５）。
【０１０８】
つぎに、端末４００は、ステップＳ１３０５によって算出した基準値に基づいてベストセルを選択し、選択したベストセルにキャンプオンし（ステップＳ１３０６）、一連の処理を終了する。
【０１０９】
たとえば、端末４００は、セルリセレクションにおいて、下記（４）式に示すＲ（ｓ）およびＲ（ｎ）をセル選択基準値として算出する。Ｒ（ｓ）は、端末４００がキャンプオンしているセル（サービングセル）についてのセル選択基準値である。Ｒ（ｎ）は、端末４００の周辺のセルであってサービングセルと異なるセル（ネイバーセル）についてのセル選択基準値である。
【０１１０】
Ｒ（ｓ）＝Ｑ（ｍｅａｓ’ｓ）＋Ｑ（Ｈｙｓｔ）−Ｑｏｆｆｓｅｔ＿ｔｅｍｐ
Ｒ（ｎ）＝Ｑ（ｍｅａｓ’ｓ）＋Ｑｏｆｆｓｅｔ−Ｑｏｆｆｓｅｔ＿ｔｅｍｐ
…（４）
【０１１１】
Ｑ（ｍｅａｓ’ｓ）は、端末４００において測定されたＲＳＲＰである。Ｑ（Ｈｙｓｔ）は、セル内の報知信号によって報知されるヒステリシス値である。Ｑｏｆｆｓｅｔはセル間におけるオフセット値である。Ｑｏｆｆｓｅｔ＿ｔｅｍｐは、セルに対して一時的に適用されるオフセット値である。一例としては、Ｑｏｆｆｓｅｔ＿ｔｅｍｐは０〜１５［ｄＢ］の範囲で設定可能である。
【０１１２】
端末４００は、サービングセルについては上記（４）式のＲ（ｓ）をセル選択基準値として算出し、ネイバーセルについては上記（４）式のＲ（ｎ）をセル選択基準値として算出する。この際に、端末４００は、サービングセルから報知されたオフセットリストを用いて、サービングセルのＲ（ｓ）におけるＱｏｆｆｓｅｔ＿ｔｅｍｐに加えて、ネイバーセルのＲ（ｎ）におけるＱｏｆｆｓｅｔ＿ｔｅｍｐも設定する。そして、端末４００は、算出したセル選択基準値が最も高いセルをベストセルとして選択する。
【０１１３】
セルリセレクションにおいては、サービングセルより高いプライオリティが設定された、サービングセルと異なる周波数のセルを選択する場合や、異なるＲＡＴ（Ｒａｄｉｏ  Ａｃｃｅｓｓ  Ｔｅｃｈｎｏｌｏｇｙ：無線アクセステクノロジ）のセルを選択する場合がある。また、セルリセレクションにおいては、同じプライオリティが設定された、サービングセルと異なる周波数のセルを選択する場合や、サービングセルと同じ周波数の、サービングセルと異なる基地局によって形成されたセルを選択する場合などがある。
【０１１４】
図１２を用いて説明したように、端末４００は、自端末が規制対象になった場合にセルリセレクションを行う。そして、端末４００は、セルリセレクションのために各セルについて算出する基準値に対して、オフセットリストに基づいて各セルに設定されたオフセットをかける。これにより、規制の度合いが低い、すなわち負荷の小さいセルへ端末４００が接続先を変更する確率を高くし、セル間の負荷を分散させることができる。
【０１１５】
このように、実施の形態３によれば、端末４００が、接続先のセルへの接続が規制されると、少なくとも一つ以上のセルにおけるＱｏｆｆｓｅｔ＿ｔｅｍｐに応じてセルリセレクション（再選択）を行う。そして、端末４００は、セルリセレクションによって選択したベストセルにキャンプオンする。
【０１１６】
これにより、接続が規制されたセルから他のセルへの切り替えが行われ、接続が規制されたセルにおける負荷を減らし、セル間の負荷の偏りを解消することができる。また、Ｑｏｆｆｓｅｔ＿ｔｅｍｐを用いてセルリセレクションを行うことで、たとえばセルごとに選択確率やプライオリティを設定しなくてもセル間の負荷の偏りを解消できるため、システムへの影響を抑えることができる。
【０１１７】
たとえば、システム設計において、セルごとのパラメータとして選択確率やプライオリティを追加したり、セルごとの選択確率やプライオリティを算出する処理を追加したりしなくても、セル間の負荷の偏りを解消することが可能になる。
【０１１８】
端末４００がセルリセレクション（再選択）を行う場合について説明したが、本実施の形態は端末４００がセルセレクション（選択）を行う場合についても適用可能である。たとえば、端末４００は、下記（５）式を満たすセルを接続先のセル（Ｓｕｉｔａｂｌｅ  ＣｅｌｌまたはＡｃｃｅｐｔａｂｌｅ  Ｃｅｌｌ）として選択する。
【０１１９】
Ｓｒｘｌｅｖ＞０  ＡＮＤ  Ｓｑｕａｌ＞０    ｗｈｅｒｅ：
Ｓｒｘｌｅｖ＝Ｑ（ｒｘｌｅｖｍｅａｓ）
−（Ｑ（ｒｘｌｅｖｍｉｎ）＋Ｑ（ｒｘｌｅｖｍｉｎｏｆｆｓｅｔ））
−Ｐｃｏｍｐｅｎｓａｔｉｏｎ−Ｑｏｆｆｓｅｔ＿ｔｅｍｐ
Ｓｑｕａｌ  ＝Ｑ（ｑｕａｌｍｅａｓ）
−（Ｑ（ｑｕａｌｍｉｎ）＋Ｑ（ｑｕａｌｍｉｎｏｆｆｓｅｔ））
−Ｑｏｆｆｓｅｔ＿ｔｅｍｐ
…（５）
【０１２０】
上記（５）式において、Ｑ（ｒｘｌｅｖｍｅａｓ）は、受信レベルの測定結果（たとえばＲＳＲＰ）である。Ｑ（ｒｘｌｅｖｍｉｎ）は、セル内において要する最小の受信レベル［ｄＢｍ］である。Ｑ（ｒｘｌｅｖｍｉｎｏｆｆｓｅｔ）は、Ｑ（ｒｘｌｅｖｍｉｎ）に関するオフセットである。Ｐｃｏｍｐｅｎｓａｔｉｏｎは、端末の上り送信電力能力に関する補正値である。Ｑｏｆｆｓｅｔ＿ｔｅｍｐは、セルに対して一時的に適用されるオフセット値である。一例としては、Ｑｏｆｆｓｅｔ＿ｔｅｍｐは０〜１５［ｄＢ］の範囲で設定可能である。
【０１２１】
Ｑ（ｑｕａｌｍｅａｓ）は、たとえばＲＳＲＱ（Ｒｅｆｅｒｅｎｃｅ  Ｓｉｇｎａｌ  Ｒｅｃｅｉｖｅｄ  Ｑｕａｌｉｔｙ：基準信号受信品質）などの受信品質の測定結果である。Ｑ（ｑｕａｌｍｉｎ）は、セル内において要する最小の受信品質［ｄＢ］である。Ｑ（ｑｕａｌｍｉｎｏｆｆｓｅｔ）は、Ｑ（ｑｕａｌｍｉｎ）に関するオフセットである。
【０１２２】
端末４００は、セルセレクションを行う際に、報知されたオフセットリストを用いて、接続先の候補の各セルについて、上記（５）式のＱｏｆｆｓｅｔ＿ｔｅｍｐを設定する。これにより、接続が規制されたセルとは異なるセルへの接続が行われる可能性を高くすることができる。このため、接続が規制されたセルにおける負荷を減らし、セル間の負荷の偏りを解消することができる。
【０１２３】
以上説明したように、無線通信装置、無線通信システムおよび無線通信方法によれば、システムへの影響を抑えつつセル間の負荷の偏りを解消することができる。
【０１２４】
また、端末が接続先のセルにおける規制対象となった場合にセルリセレクションを行うことで、たとえば端末が該接続先のセルにおいて接続規制時間に基づく時間だけ待機する場合と比べて、端末の通信再開までの時間を短くすることができる。
【０１２５】
また、セルリセレクションを行う際に、セルリセレクションの候補の各セルにおける規制の度合いに対応する制御情報を用いることで、負荷の小さいセルを新たな接続先として選択することが可能になる。また、たとえばセル間の負荷の偏りが生じた場合に、該偏りが解消するまでの時間を短くすることができる。
【０１２６】
なお、上述した各実施の形態は、組み合わせて実施することも可能である。たとえば、各基地局は、規制確率リスト３５０（たとえば図３参照）およびオフセットリスト１２１０（たとえば図１２参照）の両方を報知してもよい。この場合に、各端末は、規制確率リスト３５０およびオフセットリスト１２１０の少なくともいずれかを用いてセルセレクション等を行う。たとえば、実施の形態２に関する図１１に示したステップＳ１１０５において、自セルが再度ベストセルとして選択（再選択）された場合は、実施の形態３によるベストセルの選択へ移行するようにしてもよい。
【０１２７】
上述した実施の形態に関し、さらに以下の付記を開示する。
【０１２８】
（付記１）他の無線通信装置が構成する第一のセルへ接続し、前記第一のセルへの接続が規制されると、少なくとも一つ以上のセルにおける接続の規制の度合いに対応する制御情報の値に応じて、前記第一のセルとは異なる第二のセルの選択または再選択を行う制御部を備え、
前記制御部によって前記第二のセルの選択または再選択を行うと、前記第一のセルではなく前記第二のセルにキャンプオンする、
ことを特徴とする無線通信装置。
【０１２９】
（付記２）前記少なくとも一つ以上のセルは、前記第一のセルとは異なるセルを含むことを特徴とする付記１に記載の無線通信装置。
【０１３０】
（付記３）前記少なくとも一つ以上のセルにおける接続の規制の度合いに対応する制御情報は、前記少なくとも一つ以上のセルにおける接続の規制における規制確率を含むことを特徴とする付記１または２に記載の無線通信装置。
【０１３１】
（付記４）前記少なくとも一つ以上のセルにおける接続の規制の度合いに対応する制御情報は、前記少なくとも一つ以上のセルにおける接続の規制における接続規制時間を含むことを特徴とする付記１〜３のいずれか一つに記載の無線通信装置。
【０１３２】
（付記５）前記少なくとも一つ以上のセルにおける接続の規制の度合いに対応する制御情報は、前記選択または再選択のために前記少なくとも一つ以上のセルについて算出される基準値であって、前記少なくとも一つ以上のセルの無線品質の測定結果に基づく基準値に対するオフセット値を含むことを特徴とする付記１〜４のいずれか一つに記載の無線通信装置。
【０１３３】
（付記６）前記少なくとも一つ以上のセルにおける接続の規制の度合いに対応する制御情報は、前記第一のセルによって送信される報知信号に含まれることを特徴とする付記１〜５のいずれか一つに記載の無線通信装置。
【０１３４】
（付記７）自装置が構成するセルへの接続を規制する制御部と、
前記自装置が構成するセルとは異なるセルを含む少なくとも一つ以上のセルにおける接続の規制の度合いに対応する制御情報を含む報知信号を送信する送信部と、
を備えることを特徴とする無線通信装置。
【０１３５】
（付記８）第一のセルを構成する第一の無線通信装置と、
前記第一のセルに接続し、前記第一のセルへの接続が規制されると、少なくとも一つ以上のセルにおける接続の規制の度合いに対応する制御情報の値に応じて、前記第一のセルとは異なる第二のセルの選択または再選択を行い、前記第二のセルの選択または再選択を行うと、前記第一のセルではなく前記第二のセルにキャンプオンする第二の無線通信装置と、
を含むことを特徴とする無線通信システム。
【０１３６】
（付記９）他の無線通信装置が構成する第一のセルへ接続する無線通信装置による無線通信方法であって、
前記第一のセルへの接続が規制されると、少なくとも一つ以上のセルにおける接続の規制の度合いに対応する制御情報の値に応じて、前記第一のセルとは異なる第二のセルの選択または再選択を行い、
前記第二のセルの選択または再選択を行うと、前記第一のセルではなく前記第二のセルにキャンプオンする、
ことを特徴とする無線通信方法。
【０１３７】
（付記１０）セルを構成する無線通信装置による無線通信方法であって、
前記無線通信装置が構成するセルとは異なるセルを含む少なくとも一つ以上のセルにおける接続の規制の度合いに対応する制御情報を取得し、
前記無線通信装置が構成するセルへの接続を規制する場合に、取得した前記制御情報を含む報知信号を送信する、
ことを特徴とする無線通信方法。
【符号の説明】
【０１３８】
１００，２００，３００  無線通信システム
１０１  第一のセル
１０２  第二のセル
１０３  第三のセル
１１０  第一の無線通信装置
１１１，１２１，４２０，６２０  制御部
１１２  送信部
１２０  第二の無線通信装置
２０１，２０２，３０１〜３０６，４００，５００  端末
２１０，６００，７００  基地局
２１１  セル
２５０  報知信号
３１０  マクロ基地局
３１１，３１２  マクロセル
３２１〜３２６  スモールセル
３５０  規制確率リスト
４１０，６１０  無線通信部
４１１，６１１  無線送信部
４１２，６１２  無線受信部
４３０，６３０  記憶部
５１１，７１１  アンテナ
５１２，７１２  ＲＦ回路
５１３，７１３  プロセッサ
５１４，７１４  メモリ
６４０  通信部
７１５  ネットワークＩＦ
８００  状態遷移／プロシージャ
８０１  状態
８０２  初期セルセレクション
８０３  正常キャンプ
９０１  保存情報セルセレクション
１００１  セルリセレクション評価プロセス
１２１０  オフセットリスト
【国際調査報告】
2016181564.tif 000016
2016181564.tif 000017
2016181564.tif 000018
2016181564.tif 000019